(57)【要約】  本開示は、ディスプレイデバイスを更新するための装置、システムおよび方法を提供する。一態様では、マルチラインアドレッシングモードが、ディスプレイリフレッシュレートを増加し、かつ電力消費を低下させるために、データを多数のディスプレイラインに書き込むことによってディスプレイを更新するのに使用され得る。別の態様では、ラインオーダーアドレッシングモードが、可視的ディスプレイ更新を最小化するために、ランダムまたは疑似ランダムシーケンスでデータをディスプレイラインに書き込むのに使用され得る。別の態様では、カラープロセッシングモードが、電力消費および処理時間を低下させるために、色情報の処理に先立つように使用される。
2013530421.tif 000002
【特許請求の範囲】
【請求項１】
複数のコモンラインを含むディスプレイを駆動するためのプロセッサを含む装置であって、前記プロセッサが、
表示されるデータを得、
表示される画像の更新レートに少なくとも一部基づくシングルまたはマルチラインアドレッシングモードであって、前記マルチラインアドレッシングモードは、いくつのコモンラインが同一のデータで同時に書き込まれるかを決定する、シングルまたはマルチラインアドレッシングモードを選択し、かつ
前記シングルまたはマルチラインアドレッシングモードに応じてディスプレイを更新する
ように構成される、装置。
【請求項２】
前記プロセッサと通じるように構成されたメモリデバイスをさらに含む、請求項１に記載の装置。
【請求項３】
前記ディスプレイに少なくとも一つの信号を送るように構成されたドライバ回路をさらに含む、請求項１に記載の装置。
【請求項４】
前記ドライバ回路に前記画像データの少なくとも一部を送るように構成されたコントローラをさらに含む、請求項３に記載の装置。
【請求項５】
前記プロセッサに前記画像データを送るように構成された画像ソースモジュールをさらに含む、請求項１に記載の装置。
【請求項６】
前記画像ソースモジュールは、受信機、トランシーバ、および送信機の少なくとも一つを含む、請求項５に記載の装置。
【請求項７】
入力データを受け取り、かつ前記入力データを前記プロセッサに通信するように構成された入力デバイスをさらに含む、請求項１に記載の装置。
【請求項８】
前記ディスプレイはＩＭＯＤを含む、請求項１に記載の装置。
【請求項９】
複数のコモンラインを有するディスプレイを更新する方法であって、前記方法が、
表示されるデータを得る段階と、
表示される画像の更新レートに少なくとも一部基づくシングルまたはマルチラインアドレッシングモードを選択する段階であって、前記マルチラインアドレッシングモードは、いくつのコモンラインが同一のデータで同時に書き込まれるかを決定する、段階と、
前記シングルまたはマルチラインアドレッシングモードに応じてディスプレイを更新する段階と、
を含む、方法。
【請求項１０】
前記マルチラインアドレッシングモードに応じてディスプレイを更新する段階は、異なるディスプレイ要素に対応する少なくとも二つのコモンラインに第一波形を同時に印加する段階を含む、請求項９に記載の方法。
【請求項１１】
前記少なくとも二つのコモンラインは、同一の色のディスプレイ要素に対応する、請求項１０に記載の方法。
【請求項１２】
前記少なくとも二つのコモンラインは、異なる色のディスプレイ要素に対応する、請求項１０に記載の方法。
【請求項１３】
前記少なくとも二つのコモンラインは、正確には三つのコモンラインであり、それぞれが異なる色のディスプレイ要素に対応する、請求項１０に記載の方法。
【請求項１４】
前記少なくとも二つのコモンラインは隣接している、請求項１０に記載の方法。
【請求項１５】
前記少なくとも二つのコモンラインは隣接していない、請求項１０に記載の方法。
【請求項１６】
前記シングルまたはマルチラインアドレッシングモードに応じてディスプレイを更新する段階は、異なるディスプレイ要素に対応する少なくとも二つのコモンラインに第二波形を同時に印加する段階をさらに含み、前記第一波形は第一極性を有し、前記第二波形は第二極性を有し、前記第一および第二極性は反対である、請求項１０に記載の方法。
【請求項１７】
前記表示されるデータはビデオデータを含む、請求項１０に記載の方法。
【請求項１８】
前記ディスプレイは、各コモンラインの個別アドレス指定に対応する最大リフレッシュレートを有し、前記ビデオは前記最大リフレッシュレートよりも大きいフレームレートを有する、請求項１７に記載の方法。
【請求項１９】
前記シングルまたはマルチラインアドレッシングモードに応じてディスプレイを更新する段階は、一度に一つのみのコモンラインに波形を印加する段階を含む、請求項９に記載の方法。
【請求項２０】
前記表示されるデータは静止画像を含む、請求項１９に記載の方法。
【請求項２１】
前記表示されるデータはテキストを含む、請求項１９に記載の方法。
【請求項２２】
前記シングルまたはマルチラインアドレッシングモードに応じてディスプレイを更新する段階は、ディスプレイの一部を更新する段階のみ含む、請求項９に記載の方法。
【請求項２３】
前記選択されたアドレッシングモードは電力消費を低下させる、請求項９に記載の方法。
【請求項２４】
前記選択されたアドレッシングモードは高いリフレッシュレートを提供する、請求項９に記載の方法。
【請求項２５】
前記選択されたアドレッシングモードは高い画像解像度を提供する、請求項９に記載の方法。
【請求項２６】
前記ディスプレイはＩＭＯＤを含む、請求項９に記載の方法。
【請求項２７】
複数のコモンラインを含むディスプレイを駆動するためのシステムであって、前記システムが、
表示されるデータを得るための手段と、
表示される画像の更新レートに少なくとも一部基づくシングルまたはマルチラインアドレッシングモードを選択するための手段であって、前記マルチラインアドレッシングモードは、いくつのコモンラインが同一のデータで同時に書き込まれるかを決定する、手段と、
前記シングルまたはマルチラインアドレッシングモードに応じてディスプレイを更新するための手段と、
を含む、システム。
【請求項２８】
前記表示されるデータを得るための手段が入力デバイスを含む、請求項２７に記載のシステム。
【請求項２９】
前記表示される画像の更新レートに少なくとも一部基づくシングルまたはマルチラインアドレッシングモードを選択するための手段がプロセッサを含む、請求項２７に記載のシステム。
【請求項３０】
前記シングルまたはマルチラインアドレッシングモードに応じてディスプレイを更新するための手段がコモンドライバを含む、請求項２７に記載のシステム。
【請求項３１】
前記ディスプレイはＩＭＯＤを含む、請求項２７に記載のシステム。
【請求項３２】
複数のコモンラインを含むディスプレイを駆動するように構成されたプログラムのためのデータを処理するコンピュータプログラム製品であって、前記コンピュータプログラム製品が、
表示されるデータを得、
表示される画像の更新レートに少なくとも一部基づくシングルまたはマルチラインアドレッシングモードであって、前記マルチラインアドレッシングモードは、いくつのコモンラインが同一のデータで同時に書き込まれるかを決定する、シングルまたはマルチラインアドレッシングモードを選択し、かつ
前記シングルまたはマルチラインアドレッシングモードに応じてディスプレイを更新する
ための処理回路をもたらすコードがその上に記憶された持続性コンピュータ可読媒体を含む、コンピュータプログラム製品。
【請求項３３】
前記ディスプレイはＩＭＯＤを含む、請求項３２に記載のコンピュータプログラム製品。
【請求項３４】
複数のコモンラインを含むディスプレイを駆動するためのプロセッサを含む装置であって、前記プロセッサが、
表示されるデータを得、
前記表示されるデータに少なくとも一部基づくラインオーダーアドレッシングモードであって、前記ラインオーダーアドレッシングモードは、前記コモンラインが前記データで書き込まれる順序を決定する、ラインオーダーアドレッシングモードを選択し、かつ
前記ラインオーダーアドレッシングモードに応じてディスプレイを更新する
ように構成される、装置。
【請求項３５】
前記プロセッサと通じるように構成されたメモリデバイスをさらに含む、請求項３４に記載の装置。
【請求項３６】
前記ディスプレイに少なくとも一つの信号を送るように構成されたドライバ回路をさらに含む、請求項３４に記載の装置。
【請求項３７】
前記ドライバ回路に前記画像データの少なくとも一部を送るように構成されたコントローラをさらに含む、請求項３６に記載の装置。
【請求項３８】
前記プロセッサに前記画像データを送るように構成された画像ソースモジュールをさらに含む、請求項３４に記載の装置。
【請求項３９】
前記画像ソースモジュールは、受信機、トランシーバ、および送信機の少なくとも一つを含む、請求項３８に記載の装置。
【請求項４０】
入力データを受け取り、かつ前記入力データを前記プロセッサに通信するように構成された入力デバイスをさらに含む、請求項３４に記載の装置。
【請求項４１】
前記ディスプレイはＩＭＯＤを含む、請求項３４に記載の装置。
【請求項４２】
複数のコモンラインを有するディスプレイを更新する方法であって、前記方法が、
表示されるデータを得る段階と、
前記表示されるデータに少なくとも一部基づくラインオーダーアドレッシングモードを選択する段階であって、前記ラインオーダーアドレッシングモードは、前記コモンラインが前記データで書き込まれる順序を決定する、段階と、
前記ラインオーダーアドレッシングモードに応じてディスプレイを更新する段階と、
を含む、方法。
【請求項４３】
前記コモンラインが前記データで書き込まれる順序がランダムである、請求項４２に記載の方法。
【請求項４４】
前記コモンラインが前記データで書き込まれる順序が、生成疑似乱数に基づいてダイナミックに決定される、請求項４２に記載の方法。
【請求項４５】
前記コモンラインが前記データで書き込まれる順序が、ランダムに見える一つまたは複数のシーケンスに応じて決定される、請求項４２に記載の方法。
【請求項４６】
前記表示されるデータはスライドショーを含む、請求項４２に記載の方法。
【請求項４７】
前記ディスプレイはＩＭＯＤを含む、請求項４２に記載の方法。
【請求項４８】
複数のコモンラインを含むディスプレイを駆動するためのシステムであって、前記システムが、
表示されるデータを得るための手段と、
前記表示されるデータに少なくとも一部基づくラインオーダーアドレッシングモードを選択するための手段であって、前記ラインオーダーアドレッシングモードは、前記コモンラインが前記データで書き込まれる順序を決定する、手段と、
前記ラインオーダーアドレッシングモードに応じてディスプレイを更新するための手段と、
を含む、システム。
【請求項４９】
前記表示されるデータを得るための手段が入力デバイスを含む、請求項４８に記載のシステム。
【請求項５０】
前記表示されるデータに少なくとも一部基づくラインオーダーアドレッシングモードを選択するための手段がプロセッサを含む、請求項４８に記載のシステム。
【請求項５１】
前記ラインオーダーアドレッシングモードに応じてディスプレイを更新するための手段がコモンドライバを含む、請求項４８に記載のシステム。
【請求項５２】
前記ディスプレイはＩＭＯＤを含む、請求項４８に記載のシステム。
【請求項５３】
複数のコモンラインを含むディスプレイを駆動するように構成されたプログラムのためのデータを処理するコンピュータプログラム製品であって、前記コンピュータプログラム製品が、
表示されるデータを得、
前記表示されるデータに少なくとも一部基づくラインオーダーアドレッシングモードであって、前記ラインオーダーアドレッシングモードは、前記コモンラインが前記データで書き込まれる順序を決定する、ラインオーダーアドレッシングモードを選択し、かつ
前記ラインオーダーアドレッシングモードに応じてディスプレイを更新する
ための処理回路をもたらすコードがその上に記憶された持続性コンピュータ可読媒体を含む、コンピュータプログラム製品。
【請求項５４】
前記ディスプレイはＩＭＯＤを含む、請求項５３に記載のコンピュータプログラム製品。
【請求項５５】
ディスプレイを駆動するためのプロセッサを含む装置であって、前記プロセッサが、
表示されるデータを得、
前記表示されるデータに少なくとも一部基づくカラープロセッシングモードであって、前記カラープロセッシングモードは、前記表示されるデータ内の色情報が表示される前に処理されるかどうかを決定する、カラープロセッシングモードを選択し、かつ
前記カラープロセッシングモードに応じてディスプレイを更新する
ように構成される、装置。
【請求項５６】
前記プロセッサと通じるように構成されたメモリデバイスをさらに含む、請求項５５に記載の装置。
【請求項５７】
前記ディスプレイに少なくとも一つの信号を送るように構成されたドライバ回路をさらに含む、請求項５５に記載の装置。
【請求項５８】
前記ドライバ回路に前記画像データの少なくとも一部を送るように構成されたコントローラをさらに含む、請求項５７に記載の装置。
【請求項５９】
前記プロセッサに前記画像データを送るように構成された画像ソースモジュールをさらに含む、請求項５５に記載の装置。
【請求項６０】
前記画像ソースモジュールは、受信機、トランシーバ、および送信機の少なくとも一つを含む、請求項５９に記載の装置。
【請求項６１】
入力データを受け取り、かつ前記入力データを前記プロセッサに通信するように構成された入力デバイスをさらに含む、請求項５５に記載の装置。
【請求項６２】
前記ディスプレイはＩＭＯＤを含む、請求項５５に記載の装置。
【請求項６３】
ディスプレイを更新する方法であって、前記方法が、
表示されるデータを得る段階と、
前記表示されるデータに少なくとも一部基づくカラープロセッシングモードを選択する段階であって、前記カラープロセッシングモードは、前記表示されるデータ内の色情報が表示される前に処理されるかどうかを決定する、段階と、
前記カラープロセッシングモードに応じてディスプレイを更新する段階と、
を含む、方法。
【請求項６４】
カラープロセッシングモードを選択する段階および前記カラープロセッシングモードに応じてディスプレイを更新する段階は、色情報が処理を必要としないことを決定する段階、および前記色情報を処理することなくディスプレイを更新する段階を含む、請求項６３に記載の方法。
【請求項６５】
前記ディスプレイはＩＭＯＤを含む、請求項６３に記載の方法。
【請求項６６】
ディスプレイを駆動するためのシステムであって、前記システムが、
表示されるデータを得るための手段と、
前記表示されるデータに少なくとも一部基づくカラープロセッシングモードを選択するための手段であって、前記カラープロセッシングモードは、前記表示されるデータ内の色情報が表示される前に処理されるかどうかを決定する、手段と、
前記カラープロセッシングモードに応じてディスプレイを更新するための手段と、
を含む、システム。
【請求項６７】
前記表示されるデータを得るための手段が入力デバイスを含む、請求項６６に記載のシステム。
【請求項６８】
前記表示されるデータに少なくとも一部基づくカラープロセッシングモードを選択するための手段がプロセッサを含む、請求項６６に記載のシステム。
【請求項６９】
前記カラープロセッシングモードに応じてディスプレイを更新するための手段がコモンドライバを含む、請求項６６に記載のシステム。
【請求項７０】
前記ディスプレイはＩＭＯＤを含む、請求項６６に記載のシステム。
【請求項７１】
ディスプレイを駆動するように構成されたプログラムのためのデータを処理するコンピュータプログラム製品であって、前記コンピュータプログラム製品が、
表示されるデータを得、
前記表示されるデータに少なくとも一部基づくカラープロセッシングモードであって、前記カラープロセッシングモードは、前記表示されるデータ内の色情報が表示される前に処理されるかどうかを決定する、カラープロセッシングモードを選択し、かつ
前記カラープロセッシングモードに応じてディスプレイを更新する
ための処理回路をもたらすコードがその上に記憶された持続性コンピュータ可読媒体を含む、コンピュータプログラム製品。
【請求項７２】
前記ディスプレイはＩＭＯＤを含む、請求項７１に記載のコンピュータプログラム製品。
【発明の詳細な説明】
【技術分野】
【０００１】
関連出願の相互参照
本開示は、「Ｓｙｓｔｅｍ  ａｎｄ  Ｍｅｔｈｏｄ  ｆｏｒ  Ｃｈｏｏｓｉｎｇ  Ｄｉｓｐｌａｙ  Ｍｏｄｅｓ」という名称の２０１０年５月１８日に出願した米国仮特許出願第６１／３４５，９５４号、「Ｓｙｓｔｅｍ  ａｎｄ  Ｍｅｔｈｏｄ  ｆｏｒ  Ｃｈｏｏｓｉｎｇ  Ｄｉｓｐｌａｙ  Ｍｏｄｅｓ」という名称の２０１０年５月２１日に出願した米国仮特許出願第６１／３４６，９９４号、および「Ｓｙｓｔｅｍ  ａｎｄ  Ｍｅｔｈｏｄ  ｆｏｒ  Ｃｈｏｏｓｉｎｇ  Ｄｉｓｐｌａｙ  Ｍｏｄｅｓ」という名称の２０１０年１０月２１日に出願した米国仮特許出願第６１／４０５，６１０号の優先権を主張し、それらの全ては、これに関して譲受人に譲渡されている。先願の開示は、本開示の一部とみなされ、参照により本開示に組み込まれる。
【０００２】
本開示は、ディスプレイ装置を更新するモードに関する。
【背景技術】
【０００３】
電気機械システムは、電気的要素および機械的要素、アクチュエータ、トランスデューサ、センサ、光学部品（例えば鏡）、ならびに電子部品を有するデバイスを含む。電気機械システムは、マイクロスケールおよびナノスケールを含むがこれらに限定されない、さまざまなスケールで製造可能である。例えば、マイクロ電気機械システム（ＭＥＭＳ）デバイスは、約１ミクロンから数百ミクロン以上の範囲にわたるサイズを有する構造を含むことができる。ナノ電気機械システム（ＮＥＭＳ）デバイスは、例えば数百ナノメートルより小さいサイズを含む、１ミクロンより小さいサイズを有する構造を含むことができる。電気機械的要素は、堆積、エッチング、リソグラフィ、ならびに／あるいは基板および／もしくは堆積材料層の一部をエッチング除去する、または層を追加して、電気デバイスおよび電気機械的デバイスを形成する他のマイクロマシニングプロセスを使用して、作製可能である。
【０００４】
電気機械システムデバイスの一つのタイプは干渉変調器（ＩＭＯＤ）と呼ばれる。本明細書で使用される干渉変調器または干渉光変調器という用語は、光学的干渉の原理を使用して光を選択的に吸収かつ／または反射するデバイスを指す。いくつかの実施形態では、干渉変調器は、１対の導電性プレートを含むことができ、そのうちの一方または両方は、全体的または部分的に透明かつ／または反射性であってもよく、適切な電気信号の印加により相対運動が可能である。ある実施形態では、一方のプレートは、基板に堆積された固定層を含むことができ、他方のプレートは、エアギャップによって固定層から分離された反射膜を含むことができる。一方のプレートのもう一つのプレートに対する位置は、干渉変調器に入射する光の光学的干渉を変化させることができる。干渉変調器デバイスは、広範囲の用途を有し、既存の製品の改良および新製品、特に表示機能を有する製品の開発での使用が予想されている。
【発明の概要】
【課題を解決するための手段】
【０００５】
本開示のシステム、方法、およびデバイスはそれぞれ、いくつかの革新的な態様を有し、そのいずれも、本明細書で開示される望ましい属性に単独で寄与するものではない。
【０００６】
本開示において説明する主題の一つの革新的な態様は、複数のコモンラインを含むディスプレイを駆動するためのプロセッサを含む装置で実施可能である。いくつかの実施形態では、プロセッサは表示されるデータを得るように構成される。いくつかの実施形態では、表示される画像の更新レートに少なくとも一部基づくシングルまたはマルチラインアドレッシングモードを選択するように構成される。いくつかの実施形態では、マルチラインアドレッシングモードは、いくつのコモンラインが同一のデータで同時に書き込まれるかを決定する。いくつかの実施形態では、プロセッサは、シングルまたはマルチラインアドレッシングモードに応じてディスプレイを更新するように構成される。いくつかの実施形態では、ディスプレイは干渉変調器（ＩＭＯＤ）を含むことができる。
【０００７】
本開示において説明する主題の別の革新的な態様は、複数のコモンラインを有するディスプレイを更新する方法で実施可能である。いくつかの実施形態では、その方法は、表示されるデータを得る段階を含む。いくつかの実施形態では、その方法は、表示される画像の更新レートに少なくとも一部基づくシングルまたはマルチラインアドレッシングモードを選択する段階を含む。いくつかの実施形態では、マルチラインアドレッシングモードは、いくつのコモンラインが同一のデータで同時に書き込まれるかを決定する。いくつかの実施形態では、その方法は、シングルまたはマルチラインアドレッシングモードに応じてディスプレイを更新する段階を含む。いくつかの実施形態では、マルチラインアドレッシングモードに応じてディスプレイを更新する段階は、異なるディスプレイ要素に対応する少なくとも二つのコモンラインに同時に第一波形を印加する段階を含むことができる。いくつかの実施形態では、選択されたアドレッシングモードは、高いリフレッシュレートを提供することができる。
【０００８】
本開示において説明する主題の別の革新的な態様は、複数のコモンラインを含むディスプレイを駆動するためのシステムで実施可能である。いくつかの実施形態では、そのシステムは、表示されるデータを得るための手段を含む。いくつかの実施形態では、そのシステムは、表示される画像の更新レートに少なくとも一部基づくシングルまたはマルチラインアドレッシングモードを選択するための手段を含む。いくつかの実施形態では、マルチラインアドレッシングモードは、いくつのコモンラインが同一のデータで同時に書き込まれるかを決定する。いくつかの実施形態では、そのシステムは、シングルまたはマルチラインアドレッシングモードに応じてディスプレイを更新するための手段を含む。いくつかの実施形態では、表示されるデータを得るための手段は、入力デバイスを含むことができる。いくつかの実施形態では、表示される画像の更新レートに少なくとも一部基づくシングルまたはマルチラインアドレッシングモードを選択するための手段は、プロセッサを含むことができる。いくつかの実施形態では、シングルまたはマルチラインアドレッシングモードに応じてディスプレイを更新するための手段は、コモンドライバを含むことができる。
【０００９】
本開示において説明する主題の別の革新的な態様は、複数のコモンラインを含むディスプレイを駆動するように構成されたプログラムのためのデータを処理するコンピュータプログラム製品で実施可能である。いくつかの実施形態では、コンピュータプログラム製品は、表示されるデータを得るための処理回路をもたらすコードがその上に記憶された持続性コンピュータ可読媒体を含む。いくつかの実施形態では、表示される画像の更新レートに少なくとも一部基づくシングルまたはマルチラインアドレッシングモードを選択するための処理回路をもたらすコードがその上に記憶された持続性コンピュータ可読媒体を含む。いくつかの実施形態では、マルチラインアドレッシングモードは、いくつのコモンラインが同一のデータで同時に書き込まれるかを決定する。いくつかの実施形態では、コンピュータプログラム製品は、シングルまたはマルチラインアドレッシングモードに応じてディスプレイを更新するための処理回路をもたらすコードがその上に記憶された持続性コンピュータ可読媒体を含む。
【００１０】
本開示において説明する主題の別の革新的な態様は、複数のコモンラインを含むディスプレイを駆動するためのプロセッサを含む装置で実施可能である。いくつかの実施形態では、プロセッサは表示されるデータを得るように構成される。いくつかの実施形態では、プロセッサは、表示されるデータに少なくとも一部基づくラインオーダーアドレッシングモードを選択するように構成される。いくつかの実施形態では、ラインオーダーアドレッシングモードは、コモンラインがそのデータで書き込まれる順序を決定する。いくつかの実施形態では、プロセッサは、ラインオーダーアドレッシングモードに応じてディスプレイを更新するように構成される。いくつかの実施形態では、ディスプレイはＩＭＯＤを含むことができる。
【００１１】
本開示において説明する主題の別の革新的な態様は、複数のコモンラインを有するディスプレイを更新する方法で実施可能である。いくつかの実施形態では、その方法は、表示されるデータを得る段階を含む。いくつかの実施形態では、その方法は、表示されるデータに少なくとも一部基づくラインオーダーアドレッシングモードを選択する段階を含む。いくつかの実施形態では、ラインオーダーアドレッシングモードは、コモンラインがそのデータで書き込まれる順序を決定する。いくつかの実施形態では、その方法は、ラインオーダーアドレッシングモードに応じてディスプレイを更新する段階を含む。いくつかの実施形態では、コモンラインが書き込まれ得る順序は、生成疑似乱数（ｇｅｎｅｒａｔｅｄ  ｐｓｅｕｄｏｒａｎｄｏｍ  ｎｕｍｂｅｒ）に基づいてダイナミックに決定される。
【００１２】
本開示において説明する主題の別の革新的な態様は、複数のコモンラインを含むディスプレイを駆動するためのシステムで実施可能である。いくつかの実施形態では、そのシステムは、表示されるデータを得るための手段を含む。いくつかの実施形態では、そのシステムは、表示されるデータに少なくとも一部基づくラインオーダーアドレッシングモードを選択するための手段を含む。いくつかの実施形態では、ラインオーダーアドレッシングモードは、コモンラインがそのデータで書き込まれる順序を決定する。いくつかの実施形態では、そのシステムは、ラインオーダーアドレッシングモードに応じてディスプレイを更新するための手段を含む。いくつかの実施形態では、表示されるデータを得るための手段は、入力デバイスを含むことができる。いくつかの実施形態では、表示されるデータに少なくとも一部基づくラインオーダーアドレッシングモードを選択するための手段は、プロセッサを含むことができる。いくつかの実施形態では、ラインオーダーアドレッシングモードに応じてディスプレイを更新するための手段は、コモンドライバを含むことができる。
【００１３】
本開示において説明する主題の別の革新的な態様は、複数のコモンラインを含むディスプレイを駆動するように構成されたプログラムのためのデータを処理するコンピュータプログラム製品で実施可能である。いくつかの実施形態では、コンピュータプログラム製品は、表示されるデータを得るための処理回路をもたらすコードがその上に記憶された持続性コンピュータ可読媒体を含む。いくつかの実施形態では、コンピュータプログラム製品は、表示されるデータに少なくとも一部基づくラインオーダーアドレッシングモードを選択するための処理回路をもたらすコードがその上に記憶された持続性コンピュータ可読媒体を含む。いくつかの実施形態では、ラインオーダーアドレッシングモードは、コモンラインがそのデータで書き込まれる順序を決定する。いくつかの実施形態では、コンピュータプログラム製品は、ラインオーダーアドレッシングモードに応じてディスプレイを更新するための処理回路をもたらすコードがその上に記憶された持続性コンピュータ可読媒体を含む。
【００１４】
本開示において説明する主題の別の革新的な態様は、ディスプレイを駆動するためのプロセッサを含む装置で実施可能である。いくつかの実施形態では、プロセッサは表示されるデータを得るように構成される。いくつかの実施形態では、プロセッサは、表示されるデータに少なくとも一部基づくカラープロセッシングモードを選択するように構成される。いくつかの実施形態では、カラープロセッシングモードは、表示されるデータ内の色情報が表示される前に処理されるかどうかを決定する。いくつかの実施形態では、プロセッサは、カラープロセッシングモードに応じてディスプレイを更新するように構成される。いくつかの実施形態では、ディスプレイはＩＭＯＤを含むことができる。
【００１５】
本開示において説明する主題の別の革新的な態様は、ディスプレイを更新する方法で実施可能である。いくつかの実施形態では、その方法は、表示されるデータを得る段階を含む。いくつかの実施形態では、その方法は、表示されるデータに少なくとも一部基づくカラープロセッシングモードを選択する段階を含む。いくつかの実施形態では、カラープロセッシングモードは、表示されるデータ内の色情報が表示される前に処理されるかどうかを決定する。いくつかの実施形態では、その方法は、カラープロセッシングモードに応じてディスプレイを更新する段階を含む。いくつかの実施形態では、カラープロセッシングモードを選択する段階およびカラープロセッシングモードに応じてディスプレイを更新する段階は、色情報が処理を必要としないことを決定する段階、および色情報を処理することなくディスプレイを更新する段階を含むことができる。
【００１６】
本開示において説明する主題の別の革新的な態様は、ディスプレイを駆動するためのシステムで実施可能である。いくつかの実施形態では、そのシステムは、表示されるデータを得るための手段を含む。いくつかの実施形態では、そのシステムは、表示されるデータに少なくとも一部基づくカラープロセッシングモードを選択するための手段を含む。いくつかの実施形態では、カラープロセッシングモードは、表示されるデータ内の色情報が表示される前に処理されるかどうかを決定する。いくつかの実施形態では、そのシステムは、カラープロセッシングモードに応じてディスプレイを更新するための手段を含む。いくつかの実施形態では、表示されるデータを得るための手段は、入力デバイスを含むことができる。いくつかの実施形態では、表示されるデータに少なくとも一部基づくカラープロセッシングモードを選択するための手段は、プロセッサを含むことができる。いくつかの実施形態では、カラープロセッシングモードに応じてディスプレイを更新するための手段は、コモンドライバを含むことができる。
【００１７】
本開示において説明する主題の別の革新的な態様は、ディスプレイを駆動するように構成されたプログラムのためのデータを処理するコンピュータプログラム製品で実施可能である。いくつかの実施形態では、コンピュータプログラム製品は、表示されるデータを得るための処理回路をもたらすコードがその上に記憶された持続性コンピュータ可読媒体を含む。いくつかの実施形態では、コンピュータプログラム製品は、表示されるデータに少なくとも一部基づくカラープロセッシングモードを選択するための処理回路をもたらすコードがその上に記憶された持続性コンピュータ可読媒体を含む。いくつかの実施形態では、カラープロセッシングモードは、表示されるデータ内の色情報が表示される前に処理されるかどうかを決定する。いくつかの実施形態では、コンピュータプログラム製品は、カラープロセッシングモードに応じてディスプレイを更新するための処理回路をもたらすコードがその上に記憶された持続性コンピュータ可読媒体を含む。
【００１８】
本明細書に記載されている主題の一つまたは複数の実施形態の詳細を、添付の図面および以下の説明で説明する。その他の特徴、態様、および利点は、説明、図面、および特許請求の範囲から明らかとなるであろう。以下の図の相対的寸法が縮尺通りに描かれていない場合があることに留意されたい。
【図面の簡単な説明】
【００１９】
【図１】干渉変調器（ＩＭＯＤ）ディスプレイデバイスの一連の画素のうちの二つの隣接する画素を示す等角図の一例である。
【図２】３×３干渉変調器ディスプレイを組み込んだ電子デバイスを示すシステムブロック図の一例である。
【図３】図１の干渉変調器のための可動反射層位置対印加電圧を示すグラフの一例である。
【図４】種々のコモン電圧およびセグメント電圧が印加されたときの干渉変調器の種々の状態を示す表の一例である。
【図５Ａ】図２の３×３干渉変調器ディスプレイにおけるディスプレイデータのフレームを示す図の一例である。
【図５Ｂ】図５Ａに示されるディスプレイデータのフレームを記述するために使用され得るコモン信号およびセグメント信号のためのタイミング図の一例である。
【図６Ａ】図１の干渉変調器ディスプレイの部分断面図の一例である。
【図６Ｂ】干渉変調器のさまざまな実施形態の断面図の一例である。
【図６Ｃ】干渉変調器のさまざまな実施形態の断面図の一例である。
【図６Ｄ】干渉変調器のさまざまな実施形態の断面図の一例である。
【図６Ｅ】干渉変調器のさまざまな実施形態の断面図の一例である。
【図７】干渉変調器の製造プロセスを示す流れ図の一例である。
【図８Ａ】干渉変調器を作製する方法における種々の段階の断面概略図の一例である。
【図８Ｂ】干渉変調器を作製する方法における種々の段階の断面概略図の一例である。
【図８Ｃ】干渉変調器を作製する方法における種々の段階の断面概略図の一例である。
【図８Ｄ】干渉変調器を作製する方法における種々の段階の断面概略図の一例である。
【図８Ｅ】干渉変調器を作製する方法における種々の段階の断面概略図の一例である。
【図９】複数のコモンラインおよび複数のセグメントラインを含むディスプレイ要素の配列の一例を示す概略図である。
【図１０】ライン乗算プロセス（ｌｉｎｅ  ｍｕｌｔｉｐｌｙｉｎｇ  ｐｒｏｃｅｓｓ）を用いてフレームの一部を記述するための例示プロセスを示す流れ図である。
【図１１】モノクロ画像データをカラーディスプレイの少なくとも一部に書き込むための例示プロセスを示す流れ図である。
【図１２】マルチラインアドレッシングモードに応じてディスプレイを更新するための例示プロセスであって、マルチラインのアドレッシングモード選択が、表示されるデータに少なくとも一部基づいている、例示プロセスを示す流れ図である。
【図１３】ノンラインオーダーで更新されているディスプレイ要素の配列の一例を示す概略図である。
【図１４】ラインオーダーアドレッシングモードに応じてディスプレイを更新するための例示プロセスであって、ラインオーダーアドレッシングモードの選択が、表示されるデータに少なくとも一部基づいている、例示プロセスを示す流れ図である。
【図１５】カラープロセッシングモードに応じてディスプレイを更新するための例示プロセスであって、カラープロセッシングモードの選択が、表示されるデータに少なくとも一部基づいている、例示プロセスを示す流れ図である。
【図１６Ａ】複数の干渉変調器を含むディスプレイデバイスを示すシステムブロック図の一例である。
【図１６Ｂ】複数の干渉変調器を含むディスプレイデバイスを示すシステムブロック図の一例である。
【発明を実施するための形態】
【００２０】
種々の図面における同じ参照符号および名称は、同じ要素を示す。
【００２１】
以下の詳細な説明は、革新的な態様を説明することを目的として、ある特定の実施形態を対象とする。しかし、本明細書における教示は、多数の異なる方法で適用され得る。説明する実施形態は、動いていようと（例えばビデオ）静止していようと（例えば静止画像）、および文字であろうと図であろうと絵であろうと、画像を表示するように構成されたいかなるデバイスでも実施され得る。より具体的には、実施形態は、携帯電話、マルチメディアインターネットに対応した携帯電話、携帯型テレビ受像機、無線デバイス、スマートフォン、ブルートゥースデバイス、携帯情報端末（ＰＤＡ）、無線電子メール受信機、ハンドヘルドコンピュータまたはポータブルコンピュータ、ネットブック、ノート型コンピュータ、スマートブック、タブレット、プリンタ、コピー機、スキャナ、ファクシミリデバイス、ＧＰＳ受信機／ナビゲータ、カメラ、ＭＰ３プレーヤ、カムコーダ、ゲーム機、腕時計、時計、計算機、テレビモニタ、フラットパネルディスプレイ、電子書籍端末（例えば電子書籍リーダー）、コンピュータ用モニタ、自動車のディスプレイ（例えば走行距離計ディスプレイなど）、コックピット制御装置および／またはディスプレイ、カメラ視野のディスプレイ（例えば乗り物の後方監視カメラのディスプレイ）、電子写真、電子広告板または電光サイン、プロジェクタ、建築構造物、電子レンジ、冷蔵庫、ステレオシステム、カセットレコーダまたはカセットプレーヤ、ＤＶＤプレーヤ、ＣＤプレーヤ、ＶＣＲ、ラジオ、ポータブルメモリチップ、洗濯機、乾燥機、洗濯機／乾燥機、パーキングメーター、包装（例えば、ＭＥＭＳおよび非ＭＥＭＳ）、芸術的構造（例えば、宝石への画像の表示）、および電気機械システムデバイスなどであるがこれらに限定されないさまざまな電子デバイスにおいて実施され得るか、または関連付けられ得ることが企図されている。本明細書における教示は、電子スイッチングデバイス、無線周波数フィルタ、センサ、加速度計、ジャイロスコープ、動き検知デバイス、磁力計、民生用電子機器の慣性構成要素、民生用電子機器製品の部品、バラクタ、液晶デバイス、電気泳動デバイス、駆動スキーム、製造プロセス、電子検査機器などであるがこれらに限定されない、ディスプレイ以外の用途でも使用され得る。したがって、当業者には容易に明らかであるように、本教示は、図のみに示されている実施形態に限定されるのではなく、代わりに広い適用可能性を有することを意図する。
【００２２】
ＭＥＭＳディスプレイデバイスへのデータの表示は、電力消費およびユーザエクスペリエンスを含むいくつかの考慮すべき点が生じる。ＭＥＭＳデバイスは頻繁に、電力の保存が重要な携帯用電子デバイスに使用される。同様に、ＭＥＭＳデバイスは、いくつかのタイプのデータを表示するとき（例えばビデオなど）にユーザエクスペリエンスを低下させる低いリフレッシュレートに悩まされることがある。本明細書で説明するシステムおよび方法は、表示されるデータに対する更新レートに基づいてディスプレイを如何に更新するかを決定するように構成され、結果として、増加された電力効率、ユーザエクスペリエンスの維持、または両方をもたらす。特に、異なるディスプレイ更新モードに応じていつディスプレイを更新するかを決定するためのシステムおよび方法が提示される。
【００２３】
本開示において説明する主題の特定の実施形態は、以下の潜在的な利点のうちの一つまたは複数を実現するために実施され得る。まず、ディスプレイによる電力消費が低減され得る。次に、所望のユーザエクスペリエンスに対応するディスプレイモードが選択され、ディスプレイの更新に使用され得る。
【００２４】
説明する実施形態を適用可能な適切なＭＥＭＳデバイスの一例は、反射型ディスプレイデバイスである。反射型ディスプレイデバイスは、光学的干渉の原理を使用して干渉変調器（ＩＭＯＤ）に入射する光を選択的に吸収かつ／または反射するようにＩＭＯＤを組み込むことができる。ＩＭＯＤは、吸収体と、この吸収体に対して可動な反射体と、吸収体と反射体の間に画定された光共振キャビティとを含むことができる。反射体は、二つ以上の異なる位置に移動でき、これによって光共振キャビティの大きさを変更でき、それにより干渉変調器の反射率に影響を及ぼす。ＩＭＯＤの反射スペクトルは、可視波長全体をシフトしてさまざまな色を生成可能なかなり幅広いスペクトルバンドをもたらすことができる。スペクトルバンドの位置は、光共振キャビティの厚さを変更することによって、すなわち反射体の位置を変更することによって調節され得る。
【００２５】
図１は、干渉変調器（ＩＭＯＤ）ディスプレイデバイスの一連の画素のうちの二つの隣接する画素を示す等角図の一例を示す。ＩＭＯＤディスプレイデバイスは、一つまたは複数の干渉ＭＥＭＳディスプレイ素子を含む。これらのデバイスでは、ＭＥＭＳディスプレイ素子の画素は、明状態または暗状態のどちらかとなり得る。明（「緩和（ｒｅｌａｘｅｄ）」、「開」、または「オン」）状態では、ディスプレイ素子は、入射可視光の大部分を例えばユーザに反射する。逆に、暗（「作動」、「閉」、または「オフ」）状態では、ディスプレイ素子は、入射可視光をほとんど反射しない。いくつかの実施形態では、オン状態およびオフ状態の光反射率特性は、逆にされ得る。ＭＥＭＳ画素は、主に特定の波長で反射するように構成可能であり、黒色および白色に加えてカラー表示を可能にする。
【００２６】
ＩＭＯＤディスプレイデバイスは、ＩＭＯＤの行／列配列を含むことができる。各ＩＭＯＤは、エアギャップ（光学ギャップまたは光学キャビティとも呼ばれる）を形成するように互いから可変かつ制御可能な距離に配置された１対の反射層すなわち可動反射層と固定部分反射層とを含むことができる。可動反射層は、少なくとも二つの位置の間で移動され得る。第１の位置すなわち緩和位置では、可動反射層は、固定部分反射層から比較的大きな距離に配置され得る。第２の位置すなわち作動位置では、可動反射層は、部分反射層により近く配置され得る。二つの層から反射する入射光は、可動反射層の位置に応じて強め合うように（ｃｏｎｓｔｒｕｃｔｉｖｅｌｙ）または弱め合うように（ｄｅｓｔｒｕｃｔｉｖｅｌｙ）干渉し、各画素について全体反射状態または非反射状態を作り出すことができる。いくつかの実施形態では、ＩＭＯＤは、作動されていないときにスペクトル内の光を反射する反射状態になってもよいし、作動されていないときに、可視範囲外の光（例えば赤外光）を反射する暗状態になってもよい。しかし、他のいくつかの実施形態では、ＩＭＯＤは、作動されていないときは暗状態になり、作動されているときは反射状態になることができる。いくつかの実施形態では、印加電圧の導入により、画素を駆動して状態を変更させることができる。他のいくつかの実施形態では、電荷の印加により、画素を駆動して状態を変更させることができる。
【００２７】
図１の画素アレイの図示された部分は、二つの隣接する干渉変調器１２を含む。（図に示される）左側のＩＭＯＤ１２では、可動反射層１４は、光学スタック１６から所定の距離にある緩和位置で示されており、光学スタック１６は部分反射層を含む。左側のＩＭＯＤ１２に印加される電圧Ｖ０は、可動反射層１４の作動を引き起こすのに不十分である。右側のＩＭＯＤ１２では、可動反射層１４は、光学スタック１６に近いまたは隣接する作動位置で示されている。右側のＩＭＯＤ１２にされる印加電圧Ｖｂｉａｓは、可動反射層１４を作動位置に維持するのに十分である。
【００２８】
図１では、画素１２の反射特性は、画素１２に入射する光を示す矢印１３および左側の画素１２から反射する光１５により概括的に示されている。詳細に示されてはいないが、画素１２に入射する光１３のほとんどは透明基板２０を通って光学スタック１６の方へ透過することが当業者には理解されよう。光学スタック１６に入射する光の一部分は、光学スタック１６の部分反射層を透過し、一部分は反射して透明基板２０を通る。光学スタック１６を透過する光１３の一部分は、可動反射層１４で反射して、透明基板２０の方へ進む（さらに、これを通る）。光学スタック１６の部分反射層から反射した光と可動反射層１４から反射した光の間の（強め合う（ｃｏｎｓｔｒｕｃｔｉｖｅ）または弱め合う（ｄｅｓｔｒｕｃｔｉｖｅ））干渉により、画素１２から反射する光１５の波長が決まる。
【００２９】
光学スタック１６は、単一の層または複数の層を含むことができる。この層は、電極層、部分的反射性かつ部分的透過性の層、および透明誘電体層のうちの一つまたは複数を含むことができる。いくつかの実施形態では、光学スタック１６は、導電性であると共に、部分的透過性かつ部分的反射性であり、例えば上記の層のうちの一つまたは複数を透明基板２０上に堆積させることによって製作され得る。電極層は、種々の金属例えば酸化インジウムスズ（ＩＴＯ）などのさまざまな材料から形成可能である。部分反射層は、種々の金属例えばクロム（Ｃｒ）、半導体、および誘電体などの部分的に反射性であるさまざまな材料から形成可能である。部分反射層は、材料の一つまたは複数の層から形成可能であり、層のそれぞれは、単一の材料または材料の組み合わせから形成可能である。いくつかの実施形態では、光学スタック１６は、光吸収体と導体の両方の役割を果たす半透明の単一厚の金属または半導体を含むことができるが、より導電性の高い異なる層または（例えば、光学スタック１６またはＩＭＯＤの他の構造の）部分がＩＭＯＤ画素間で信号をバスで送る（ｂｕｓ）役割を果たすことができる。光学スタック１６は、一つまたは複数の導電層または導電／吸収層を覆う一つまたは複数の絶縁層または誘電体層を含むこともできる。
【００３０】
いくつかの実施形態では、光学スタック１６の層は、平行ストリップにパターニング可能であり、以下でさらに説明するようにディスプレイデバイス内に行電極を形成することができる。当業者には理解されるように、「パターニングされる」という用語は、本明細書では、マスキングプロセスならびにエッチングプロセスを指すために使用される。いくつかの実施形態では、アルミニウム（Ａｌ）などの導電性および反射性の高い材料は、可動反射層１４に使用されてもよく、これらのストリップは、ディスプレイデバイス内に列電極を形成することができる。可動反射層１４は、支柱１８およびそれら複数の支柱１８の間に堆積された介在犠牲材料に堆積された列を形成するために、堆積された一つの金属層または複数の層（光学スタック１６の行電極と直交する）の一連の平行ストリップとして形成され得る。犠牲材料がエッチングされて除去されると、画定されたギャップ１９すなわち光学キャビティは、可動反射層１４と光学スタック１６の間に形成され得る。いくつかの実施形態では、支柱１８間の間隔は１〜１０００ｕｍ程度であってよく、ギャップ１９は、１０，０００オングストローム（Å）未満程度であってもよい。
【００３１】
いくつかの実施形態では、ＩＭＯＤの各画素は、作動状態であろうと緩和状態であろうと、本質的には、固定反射層および動く反射層によって形成されるコンデンサである。電圧が印加されないとき、図１の左側の画素１２によって示されるように、可動反射層１４は、機械的緩和状態のままであり、可動反射層１４と光学スタック１６の間にはギャップ１９がある。しかし、電位差例えば電圧が、選択された行および列のうちの少なくとも一つに印加されるとき、対応する画素において行電極と列電極の交差点に形成されたコンデンサが帯電し、静電力が電極を引き合わせる。印加電圧がしきい値を超える場合、可動反射層１４は、変形して光学スタック１６の近くに移動するかまたは光学スタック１６と逆の方向に移動することができる。図１の右側の作動画素１２によって示されるように、光学スタック１６内の誘電体層（図示せず）は、短絡を防止し、層１４と１６の間の分離距離を制御することができる。この挙動は、印加される電位差の極性にかかわらず同じである。アレイ内の一連の画素は、いくつかの例では「行」または「列」と呼ばれることがあるが、一方向を「行」と呼び、別の方向を「列」と呼ぶことは任意であることが、当業者には容易に理解されよう。言い換えると、いくつかの向きでは、行は列とみなされ、列は行とみなされ得る。そのうえ、ディスプレイ素子は、直交する行と列（「配列」）に均等に構成されても、または例えば互いに対してある特定の位置のオフセットを有する（「モザイク」）非線形構成に構成されてもよい。「配列」および「モザイク」という用語は、どちらも構成を指すことができる。したがって、ディスプレイは「配列」または「モザイク」を含むと言及されるが、素子自体は、どのような場合でも、互いに直交するように構成されたり均一な分布に配置されたりする必要はないが、非対称の形状および不均一に分布された素子を有する構成を含むことができる。
【００３２】
図２は３×３干渉変調器ディスプレイを組み込んだ電子デバイスを示すシステムブロック図の一例を示す。電子デバイスは、一つまたは複数のソフトウェアモジュールを実行するように構成され得るプロセッサ２１を含む。オペレーティングシステムを実行することに加えて、プロセッサ２１は、ウェブブラウザ、電話アプリケーション、電子メールプログラム、または他の任意のソフトウェアアプリケーションを含む一つまたは複数のソフトウェアアプリケーションを実行するように構成され得る。
【００３３】
プロセッサ２１は、配列ドライバ２２と通信するように構成され得る。配列ドライバ２２は、例えばディスプレイ配列またはパネル３０に信号を提供する行ドライバ回路２４および列ドライバ回路２６を含むことができる。図１に示されるＩＭＯＤディスプレイデバイスの断面は、図２では線１−１によって示される。図２は、わかりやすくするためにＩＭＯＤの３×３配列を示しているが、ディスプレイ配列３０は、非常に多数のＩＭＯＤを含むことができ、列と異なる数のＩＭＯＤを行に有してもよいし、行と異なる数のＩＭＯＤを列に有してもよい。
【００３４】
図３は、図１の干渉変調器のための可動反射層位置対印加電圧を示すグラフの一例を示す。ＭＥＭＳ干渉変調器の場合、行／列（すなわち、コモン／セグメント）書き込み手順は、図３に示されるこれらのデバイスのヒステリシス特性を利用することができる。干渉変調器は、可動反射層すなわち鏡を緩和状態から作動状態に変化させるために、例えば約１０ボルトの電位差を必要とすることがある。電圧がその値から減少するとき、電圧が例えば１０ボルト未満に降下すると、可動反射層はその状態を維持するが、可動反射層は、電圧が２ボルト未満に降下するまで完全には緩和しない。したがって、図３に示すような約３〜７ボルトの電圧の範囲が存在し、その範囲には、デバイスが緩和状態または作動状態のどちらかで安定している印加電圧のウィンドウがある。これは、本明細書において「ヒステリシスウィンドウ」または「安定性ウィンドウ」と呼ばれる。図３のヒステリシス特性を有するディスプレイ配列３０では、行／列書き込み手順は、一度に一つまたは複数の行にアドレス指定するように設計可能であり、したがって、所与の行のアドレス指定中に、作動されるべきアドレス指定される行が約１０ボルトの電圧差にさらされ、緩和されるべき画素がゼロボルトに近い電圧差にさらされる。アドレス指定の後、画素は定常状態または約５ボルトのバイアス電圧差にさらされ、したがって、画素は前のストローブ状態のままである。この例では、アドレス指定された後、各画素には、約３〜７ボルトの「安定性ウィンドウ」の範囲内の電位差が生じる。このヒステリシス特性特徴により、例えば図１に示される画素設計は、同じ印加電圧条件下で、作動状態または緩和状態のどちらかの先在する状態で安定を保つことができる。各ＩＭＯＤ画素は、作動状態であろうと緩和状態であろうと、本質的に、固定反射層および動く反射層によって形成されたコンデンサであるので、この安定状態は、電力を大幅に消費したり損失したりすることなく、ヒステリシスウィンドウの範囲内の定常電圧で保持され得る。さらに、印加電位が実質的に固定されたままである場合、ＩＭＯＤ画素に流れる電流は本質的にほとんどまたは全くない。
【００３５】
いくつかの実施形態では、画像のフレームは、所与の行内の画素の状態の所望の変化（もしあれば）に従って、「セグメント」電圧の形をしたデータ信号を列電極の組に沿って印加することによって生成され得る。次に、配列の各行がアドレス指定可能であり、したがって、そのフレームは一度に１行書き込まれる。所望のデータを第１の行内の画素に書き込むため、第１の行内の画素の所望の状態に対応するセグメント電圧が列電極に印加可能であり、特定の「コモン」電圧または信号の形をした第１の行パルスが第１の行電極に印加可能である。次に、セグメント電圧の組は、第２の行内の画素の状態の所望の変化（もしあれば）に対応するように変更可能であり、第２のコモン電圧が第２の行電極に印加可能である。いくつかの実施形態では、第１の行内の画素は、列電極に沿って印加されたセグメント電圧の変化による影響を受けず、第１のコモン電圧行パルス中に設定された状態のままである。このプロセスは、画像フレームを生成するために一連の行あるいは列の全体について連続的に繰り返し可能である。フレームは、このプロセスを毎秒ある所望数のフレームで連続的に繰り返すことによって、新しい画像データでリフレッシュおよび／または更新され得る。
【００３６】
各画素に印加されるセグメント信号およびコモン信号の組み合わせ（すなわち各画素の電位差）によって、各画素の得られる状態が決まる。図４は、種々のコモン電圧およびセグメント電圧が印加されたときの干渉変調器の種々の状態を示す表の一例を示す。当業者には容易に理解されるように、「セグメント」電圧は、列電極または行電極のどちらかに印加可能であり、「コモン」電圧は、列電極または行電極の他方に印加可能である。
【００３７】
図４（ならびに図５Ｂに示されるタイミング図）に示されるように、解放（ｒｅｌｅａｓｅ）電圧ＶＣＲＥＬがコモンラインに沿って印加されるとき、コモンラインに沿ったすべての干渉変調器素子は、セグメントラインに沿って印加される電圧すなわち高いセグメント電圧ＶＳＨおよび低いセグメント電圧ＶＳＬに関係なく、緩和状態に置かれ、緩和状態は、あるいは解放状態または非作動状態と呼ばれる。具体的には、解放電圧ＶＣＲＥＬがコモンラインに沿って印加されるとき、変調器の電位（あるいは画素電圧と呼ばれる）は、その画素に関して対応するセグメントラインに沿って高いセグメント電圧ＶＳＨが印加されるときと低いセグメント電圧ＶＳＬが印加されるときの両方で、緩和ウィンドウ（図３を参照、解放ウィンドウとも呼ばれる）の範囲内にある。
【００３８】
高い保持電圧ＶＣＨＯＬＤ＿Ｈまたは低い保持電圧ＶＣＨＯＬＤ＿Ｌなどの保持電圧がコモンラインに印加されるとき、干渉変調器の状態は一定のままである。例えば、緩和されたＩＭＯＤは緩和位置のままであり、作動ＩＭＯＤは作動位置のままである。保持電圧は、対応するセグメントラインに沿って高いセグメント電圧ＶＳＨが印加されるときと低いセグメント電圧ＶＳＬが印加されるときの両方で画素電圧が安定性ウィンドウの範囲内にあるままであるように選択され得る。したがって、セグメント電圧の振幅すなわち高いセグメント電圧ＶＳＨと低いセグメント電圧ＶＳＬの差は、正の安定性ウィンドウまたは負の安定性ウィンドウのどちらかの幅より小さい。
【００３９】
高いアドレッシング電圧ＶＣＡＤＤ＿Ｈまたは低いアドレッシング電圧ＶＣＡＤＤ＿Ｌなどのアドレッシング電圧すなわち作動電圧がコモンラインに印加されるとき、データは、それぞれのセグメントラインに沿ってセグメント電圧を印加することにより、そのコモンラインに沿って変調器に選択的に書き込まれ得る。セグメント電圧は、印加されるセグメント電圧に作動が依存するように選択され得る。アドレッシング電圧がコモンラインに沿って印加されるとき、一方のセグメント電圧を印加すると、画素電圧は安定性ウィンドウの範囲内にあり、画素は非作動のままである。対照的に、他方のセグメント電圧を印加すると、画素電圧は安定性ウィンドウを超え、画素が作動する。作動を引き起こす特定のセグメント電圧は、どのアドレッシング電圧が使用されるかに応じて変化することができる。いくつかの実施形態では、高いアドレッシング電圧ＶＣＡＤＤ＿Ｈがコモンラインに沿って印加されるとき、高いセグメント電圧ＶＳＨの印加により、変調器をその現在の位置のままにさせることができ、低いセグメント電圧ＶＳＬの印加により、変調器の作動を引き起こすことができる。当然の結果として、低いアドレッシング電圧ＶＣＡＤＤ＿Ｌが印加されるとき、セグメント電圧の影響は反対とすることが可能であり、高いセグメント電圧ＶＳＨは変調器の作動を引き起こし、低いセグメント電圧ＶＳＬは、変調器の状態への影響をもたらさない（すなわち、安定を保つ）。
【００４０】
いくつかの実施形態では、変調器に同じ極性電位差を常に生成する保持電圧、アドレス電圧、およびセグメント電圧が使用可能である。いくつかの他の実施形態では、変調器の電位差の極性を交番する信号が使用され得る。変調器の極性の交番（すなわち書き込み手順の極性の交番）は、単一極性の書き込み動作を繰り返した後に発生する可能性のある電荷蓄積を減少または阻止することができる。
【００４１】
図５Ａは、図２の３×３干渉変調器ディスプレイにおけるディスプレイデータのフレームを示す図の一例を示す。図５Ｂは、図５Ａに示されるディスプレイデータのフレームを記述するために使用され得るコモン信号およびセグメント信号のためのタイミング図の一例を示す。信号が、例えば図２の３×３配列に印加可能であり、それにより、図５Ｂに示されるライン時間６０ｅのディスプレイ構成が最終的に得られる。図５Ａの作動された変調器は暗状態にあり、すなわち、反射された光のかなりの部分は、例えばビューアに暗色の外観を与えるように可視スペクトルの範囲外にある。図５Ａに示されているフレームを書き込む前、画素はどのような状態であってもよいが、図５Ｂのタイミング図に示される書き込み手順は、各変調器が解放されており、第１のライン時間６０ａの前に非作動状態にあることを仮定している。
【００４２】
第１のライン時間６０ａ中：解放電圧７０がコモンライン１に印加され、コモンライン２に印加される電圧は、高い保持電圧７２で始まり、解放電圧７０に移行し、低い保持電圧７６がコモンライン３に沿って印加される。したがって、コモンライン１に沿った変調器（コモン１，セグメント１）、（１，２）、および（１，３）は、第１のライン時間６０ａの持続時間の間は緩和状態すなわち非作動状態のままであり、コモンライン２に沿った変調器（２，１）、（２，２）、および（２，３）は緩和状態に移行し、コモンライン３に沿った変調器（３，１）、（３，２）、および（３，３）は前の状態のままである。図４を参照すると、セグメントライン１、２、および３に沿って印加されるセグメント電圧は干渉変調器の状態に影響を及ぼさない。というのは、コモンライン１、２、または３のいずれも、ライン時間６０ａ中に作動を引き起こす電圧レベルにさらされないからである（すなわち、ＶＣＲＥＬ−緩和およびＶＣＨＯＬＤ＿Ｌ−安定）。
【００４３】
第２のライン時間６０ｂ中、コモンライン１にかかる電圧は高い保持電圧７２に移行し、コモンライン１に沿ったすべての変調器は、印加されるセグメント電圧に関係なく緩和状態のままである。その理由は、アドレッシング電圧すなわち作動電圧がコモンライン１に印加されたからである。コモンライン２に沿った変調器は、解放電圧７０の印加により緩和状態のままであり、コモンライン３に沿った変調器（３，１）、（３，２）、および（３，３）は、コモンライン３に沿った電圧が解放電圧７０に移行すると緩和する。
【００４４】
第３のライン時間６０ｃ中、コモンライン１は、コモンライン１に高いアドレス電圧７４を印加することによってアドレス指定される。このアドレス電圧の印加中に低いセグメント電圧６４がセグメントライン１および２に沿って印加されるので、変調器（１，１）および（１，２）の画素電圧は、変調器の正の安定性ウィンドウの最高値より高く（すなわち、電圧差は、あらかじめ定められたしきい値を超える）、変調器（１，１）および（１，２）が作動される。逆に、高いセグメント電圧６２がセグメントライン３に沿って印加されるので、変調器（１，３）の画素電圧は変調器（１，１）および（１，２）の画素電圧より低く、変調器の正の安定性ウィンドウの範囲内にあるままであり、したがって、変調器（１，３）は、緩和のままである。また、ライン時間６０ｃ中に、コモンライン２に沿った電圧は低い保持電圧７６に低下し、コモンライン３に沿った電圧は解放電圧７０に留まり、コモンライン２および３に沿った変調器を緩和位置のままにしておく。
【００４５】
第４のライン時間６０ｄ中に、コモンライン１にかかる電圧は高い保持電圧７２に復帰し、コモンライン１に沿った変調器を、それぞれのアドレス指定された状態のままにしておく。コモンライン２にかかる電圧は、低いアドレス電圧７８に低下する。高いセグメント電圧６２がセグメントライン２に沿って印加されるので、変調器（２，２）の画素電圧は変調器の負の安定性ウィンドウの下端より低く、変調器（２，２）を作動させる。逆に、低いセグメント電圧６４がセグメントライン１および３に沿って印加されるので、変調器（２，１）および（２，３）は緩和位置のままである。コモンライン３にかかる電圧は高い保持電圧７２に上昇し、コモンライン３に沿った変調器を緩和状態のままにしておく。
【００４６】
最後に、第５のライン時間６０ｅ中に、コモンライン１にかかる電圧は高い保持電圧７２に留まり、コモンライン２にかかる電圧は低い保持電圧７６に留まり、コモンライン１および２に沿った変調器をそれぞれのアドレス指定された状態のままにしておく。コモンライン３にかかる電圧は、高いアドレス電圧７４に上昇し、コモンライン３に沿った変調器をアドレス指定する。低いセグメント電圧６４がセグメントライン２および３に印加されるとき、変調器（３，２）および（３，３）は作動するが、高いセグメント電圧６２がセグメントライン１に沿って印加されることによって、変調器（３，１）を緩和位置のままにさせる。したがって、第５のライン時間６０ｅの終了時に、３×３画素アレイは、図５Ａに示される状態にあり、他のコモンラインに沿った変調器（図示せず）がアドレス指定されているときに発生し得るセグメント電圧の変動に関係なく、保持電圧がコモンラインに沿って印加されるかぎり、その状態のままである。
【００４７】
図５Ｂのタイミング図では、所与の書き込み手順（すなわち、ライン時間６０ａ〜６０ｅ）は、高い保持電圧およびアドレス電圧または低い保持電圧およびアドレス電圧の使用を含むことができる。所与のコモンラインに対して書き込み手順が完了する（そして、コモン電圧が、作動電圧と同じ極性を有する保持電圧に設定される）と、画素電圧は、所与の安定性ウィンドウの範囲内のままであり、そのコモンラインに解放電圧が印加されるまで緩和ウィンドウを通過しない。そのうえ、変調器をアドレス指定する前に書き込み手順の一部として各変調器が解放されるので、解放時間ではなく変調器の作動時間によって、必要なライン時間が決定され得る。具体的には、変調器の解放時間が作動時間より長い実施形態では、解放電圧は、図５Ｂに示されるように、単一のライン時間より長い間印加され得る。いくつかの他の実施形態では、コモンラインまたはセグメントラインに沿って印加される電圧は、異なる色の変調器などの異なる変調器の作動電圧および解放電圧の変動を考慮するように変化することができる。
【００４８】
上述した原理に従って動作する干渉変調器の構造の詳細は、広範に変化することができる。例えば、図６Ａ〜図６Ｅは、可動反射層１４およびその支持構造を含む干渉変調器のさまざまな実施形態の断面図の例を示す。図６Ａは、金属材料のストリップすなわち可動反射層１４が基板２０と直交して延びる支持体１８に堆積される図１の干渉変調器ディスプレイの部分断面図の一例を示す。図６Ｂでは、各ＩＭＯＤの可動反射層１４は、略正方形または略長方形の形状をしており、連結部（ｔｅｔｈｅｒ）３２において、隅部またはその近くで支持体に取り付けられる。図６Ｃでは、可動反射層１４は、略正方形または略長方形の形状をしており、変形可能層３４から吊設され、変形可能層３４は、可撓性金属を含むことができる。変形可能層３４は、可動反射層１４の周辺を囲んで基板２０に直接的または間接的に接続することができる。これらの接続は、本明細書において支持支柱と呼ばれる。図６Ｃに示される実施形態は、可動反射層１４の光学的機能の、変形可能層３４によって実行されるその機械的機能からの分離に由来する追加の利点を有する。この分離により、反射層１４に使用される構造設計および材料ならびに変形可能層３４に使用される構造設計および材料は、互いに独立して最適化可能である。
【００４９】
図６Ｄは、可動反射層１４が反射副層１４ａを含むＩＭＯＤの別の例を示す。可動反射層１４は、支持支柱１８などの支持構造に載っている。支持支柱１８は、例えば可動反射層１４が緩和位置にあるときにギャップ１９が可動反射層１４と光学スタック１６の間に形成されるように、下方の静止電極（すなわち、図示のＩＭＯＤ内の光学スタック１６の一部）からの可動反射層１４の分離を可能にする。可動反射層１４は、電極として作用するように構成され得る導電層１４ｃと、支持層１４ｂとを含むこともできる。この例では、導電層１４ｃは、基板２０から遠位にある支持層１４ｂの片側に配置され、反射副層１４ａは、基板２０の近位にある支持層１４ｂの他方の側に配置される。いくつかの実施形態では、反射副層１４ａは、導電性とすることができ、支持層１４ｂと光学スタック１６の間に配置可能である。支持層１４ｂは、誘電材料例えば酸窒化シリコン（ＳｉＯＮ）または二酸化ケイ素（ＳｉＯ２）の一つまたは複数の層を含むことができる。いくつかの実施形態では、支持層１４ｂは、例えばＳｉＯ２／ＳｉＯＮ／ＳｉＯ２の３層スタックなどの層のスタックとすることができる。反射副層１４ａおよび導電層１４ｃのどちらかまたは両方は、例えば、約０．５％銅（Ｃｕ）を有するアルミニウム（Ａｌ）合金または別の反射性金属材料を含むことができる。誘電体支持層１４ｂの上下に導電層１４ａ、１４ｃを用いることにより、応力のバランスをとり、導電性の向上をもたらすことができる。いくつかの実施形態では、反射副層１４ａおよび導電層１４ｃは、特定の応力プロファイルを可動反射層１４内で達成するなどのさまざまな設計目的のために、異なる材料から形成されてよい。
【００５０】
図６Ｄに示されるように、いくつかの実施形態は、黒色マスク構造２３も含むことができる。この黒色マスク構造２３は、周辺光または迷光を吸収するために、光学的に不活性な領域（例えば、画素の間または支柱１８の下）に形成され得る。黒色マスク構造２３はまた、光がディスプレイの不活性な部分から反射されるかまたはディスプレイの不活性な部分を透過するのを阻止することによってディスプレイデバイスの光学的特性を向上させ、それによりコントラスト比を増加させることができる。さらに、黒色マスク構造２３は、導電性とすることができ、電気ブッシング層（ｅｌｅｃｔｒｉｃａｌ  ｂｕｓｓｉｎｇ  ｌａｙｅｒ）として機能するように構成可能である。いくつかの実施形態では、行電極は、接続された行電極の抵抗を減少させるために黒色マスク構造２３に接続され得る。黒色マスク構造２３は、堆積技法およびパターニング技法を含むさまざまな方法を使用して形成され得る。黒色マスク構造２３は、一つまたは複数の層を含むことができる。例えば、いくつかの実施形態では、黒色マスク構造２３は、光吸収体の役割を果たすモリブデンクロム（ＭｏＣｒ）層と、層と、反射体およびブッシング層の役割を果たすアルミニウム合金とを含み、それぞれ約３０〜８０Å、５００〜１０００Å、および５００〜６０００Åの範囲の厚さを有する。一つまたは複数の層は、例えばＭｏＣｒ層およびＳｉＯ２層のための四フッ化炭素（ＣＦ４）および／または酸素（Ｏ２）ならびにアルミニウム合金層のための塩素（Ｃｌ２）および／または三塩化ホウ素（ＢＣｌ３）を含む、フォトリソグラフィおよびドライエッチングを含むさまざまな技法を使用してパターニングされ得る。いくつかの実施形態では、黒色マスク２３は、エタロン構造であっても、または干渉スタック構造であってもよい。このような干渉スタックの黒色マスク構造２３では、導電性吸収体は、各行または各列の光学スタック１６内の下方の静止電極の間で信号を伝送するかまたはバスで送るために使用され得る。いくつかの実施形態では、スペーサ層３５は、概して吸収体層１６ａを黒色マスク２３内の導電層から電気的に分離する役割を果たすことができる。
【００５１】
図６Ｅは、可動反射層１４が自己支持性であるＩＭＯＤの別の例を示す。図６Ｄとは対照的に、図６Ｅの実施形態は、支持支柱１８を含まない。その代わりに、可動反射層１４は、下にある光学スタック１６と複数の場所で接触し、可動反射層１４の湾曲は、干渉変調器にかかる電圧が作動を引き起こすのに不十分なときに可動反射層１４が図６Ｅの非作動位置に戻るのに十分な支持を提供する。光学スタック１６は、複数の異なる層を含むことができ、本明細書では明確にするために、光吸収体１６ａと誘電体１６ｂとを含むように示されている。いくつかの実施形態では、光吸収体１６ａは、固定電極と部分反射層の両方の役割を果たすことができる。
【００５２】
図６Ａから図６Ｅに示される実施形態などの実施形態では、ＩＭＯＤは、透明基板２０の前側すなわち変調器が配置される側とは反対の側から画像が見られる直視型デバイスとして機能する。これらの実施形態では、反射層１４がデバイスの背面部分（すなわち、例えば図６Ｃに示される変形可能層３４を含む、可動反射層１４の後ろにあるディスプレイデバイスの任意の部分）を光学的に遮蔽するので、デバイスのそれらの部分は、ディスプレイデバイスの画像品質に影響を及ぼすことなく、または悪影響を及ぼすことなく構成および動作され得る。例えば、いくつかの実施形態では、バス構造（図示されていない）は、電圧アドレス指定およびこのようなアドレス指定から生じる動きなどの変調器の電気機械的特性から変調器の光学的特性を分離する機能を提供する可動反射層１４の後ろに含まれ得る。さらに、図６Ａから図６Ｅの実施形態は、例えばパターニングなどの処理を簡略化することができる。
【００５３】
図７は、干渉変調器の製造プロセス８０を示す流れ図の一例を示し、図８Ａから図８Ｅは、このような製造プロセス８０の対応する段階断面概略図の例を示す。いくつかの実施形態では、製造プロセス８０は、図７に示されていない他のブロックに加えて、例えば図１および図６に示される概略的なタイプの干渉変調器を製造するために実施され得る。図１、図６、および図７を参照すると、プロセス８０はブロック８２で開始し、基板２０の上に光学スタック１６を形成する。図８Ａは、基板２０の上に形成されたこのような光学スタック１６を示す。基板２０は、ガラスまたはプラスチックなどの透明基板とすることができ、可撓性であってもよいし、比較的剛性で屈曲しなく（ｕｎｂｅｎｄｉｎｇ）てもよく、光学スタック１６の効率的な形成を容易にするために前の準備プロセス例えば洗浄を受けていてもよい。上記で説明したように、光学スタック１６は、導電性で、部分的に透明かつ部分的に反射性とすることができ、例えば透明基板２０上に所望の特性を有する一つまたは複数の層を堆積させることによって製作され得る。図８Ａでは、光学スタック１６は、副層１６ａおよび１６ｂを有する多層構造を含むが、いくつかの他の実施形態では、より多くまたはより少ない副層が含まれ得る。いくつかの実施形態では、副層１６ａ、１６ｂのうちの一方は、一体化した導体／吸収体の副層１６ａなどの光学的吸収性特性と導電性特性の両方を有するように構成され得る。さらに、副層１６ａ、１６ｂのうちの一つまたは複数は、平行ストリップにパターニング可能であり、ディスプレイデバイス内に行電極を形成することができる。このようなパターニングは、マスキングプロセスおよびエッチングプロセスまたは当技術分野で知られている別の適切なプロセスによって実行され得る。いくつかの実施形態では、一つまたは複数の金属層（例えば、一つまたは複数の反射層および／または導電層）の上に堆積された副層１６ｂなどの、副層１６ａ、１６ｂのうちの一方は、絶縁層であっても、または誘電体層であってもよい。さらに、光学スタック１６は、ディスプレイの行を形成する個別の平行ストリップにパターニングされ得る。
【００５４】
プロセス８０は、ブロック８４に進み、犠牲層２５が光学スタック１６の上に形成される。犠牲層２５は、後で、キャビティ１９を形成するために除去され（例えばブロック９０で）、したがって犠牲層２５は、図１に示される得られる干渉変調器１２内に示されていない。図８Ｂは、光学スタック１６の上に形成された犠牲層２５を含む部分的に製作されたデバイスを示す。光学スタック１６の上の犠牲層２５の形成は、続く除去の後で、所望の設計寸法を有するギャップまたはキャビティ１９（図１および８Ｅも参照されたい）を形成するように選択された厚さをした、モリブデン（Ｍｏ）またはアモルファスシリコン（ａ−Ｓｉ）などの二フッ化キセノン（ＸｅＦ２）エッチング可能な材料の堆積を含むことができる。犠牲材料の堆積は、物理的気相成長（ＰＶＤ、例えばスパッタリング）、プラズマ化学気相成長（ＰＥＣＶＤ）、熱化学気相成長（熱ＣＶＤ）、またはスピンコーティングなどの堆積技法を使用して実行可能である。
【００５５】
プロセス８０は、ブロック８６に進み、支持構造例えば図１、図６、および図８Ｃに示される支柱１８が形成される。支柱１８の形成は、犠牲層２５をパターニングして支持構造開口を形成するステップ、次にＰＶＤ、ＰＥＣＶＤ、熱ＣＶＤ、またはスピンコーティングなどの堆積方法を使用して開口の内部に材料（例えば、ポリマーまたは無機材料例えば、酸化シリコン）を堆積させて支柱１８を形成するステップを含むことができる。いくつかの実施形態では、犠牲層に形成された支持構造開口は、犠牲層２５と光学スタック１６の両方を貫通して、下にある基板２０に至ることができ、したがって図６Ａに示されるように、支柱１８の下端は基板２０と接触する。あるいは、図８Ｃに示されるように、犠牲層２５に形成された開口は犠牲層２５を貫通することはできるが、光学スタック１６を貫通することはできない。例えば、図８Ｅは、支持支柱１８の下端が光学スタック１６の上側表面と接触することを示す。支柱１８または他の支持構造は、犠牲層２５の上に支持構造材料の層を堆積させ、犠牲層２５内の開口から離れて位置する支持構造材料の一部分をパターニングすることによって、形成され得る。支持構造は、図８Ｃに示されるように開口の内部に位置され得るが、少なくとも一部は、犠牲層２５の一部分の上に延びることもできる。前述のように、犠牲層２５および／または支持支柱１８のパターニングは、パターニングプロセスおよびエッチングプロセスによって実行可能であるが、代替エッチング方法によっても実行可能である。
【００５６】
プロセス８０は、ブロック８８に進み、図１、図６、および図８Ｄに示されている可動反射層１４などの可動反射層または膜の形成が行われる。可動反射層１４は、一つまたは複数のパターニングステップ、マスキングステップ、および／またはエッチングステップに加えて、一つまたは複数の堆積ステップ例えば反射層（例えば、アルミニウム、アルミニウム合金）の堆積を用いることによって形成され得る。可動反射層１４は、電導性とすることができ、導電層と呼ばれ得る。いくつかの実施形態では、可動反射層１４は、図８Ｄに示される複数の副層１４ａ、１４ｂ、１４ｃを含むことができる。いくつかの実施形態では、副層１４ａ、１４ｃなどの副層のうちの一つまたは複数は、光学的特性のために選択された非常に反射性の高い副層を含むことができ、別の副層１４ｂは、その機械的特性ために選択された機械的な副層を含むことができる。犠牲層２５はまだ、ブロック８８で形成された部分的に製作された干渉変調器内に存在するので、可動反射層１４は、典型的には、この段階では可動ではない。犠牲層２５を含む部分的に製作されたＩＭＯＤは、本明細書において「解放されていない（ｕｎｒｅｌｅａｓｅｄ）」ＩＭＯＤと呼ばれることもある。図１に関連して上述したように、可動反射層１４は、ディスプレイの列を形成する個別の平行ストリップにパターニングされ得る。
【００５７】
プロセス８０は、ブロック９０に進み、キャビティ例えば図１、図６、および図８Ｅに示されるキャビティ１９が形成される。キャビティ１９は、犠牲材料２５（ブロック８４で堆積された）をエッチング液に浸すことによって形成され得る。例えば、ＭｏまたはアモルファスＳｉなどのエッチング可能な犠牲材料は、ケミカルドライエッチングによって、例えば、固体ＸｅＦ２由来の蒸気などのガスまたは蒸気状のエッチング液に犠牲層２５を、所望量の材料を除去するのに有効なある期間浸すことによって、除去可能であり、典型的には、キャビティ１９を取り囲む構造に対して選択的に除去される。他のエッチング方法例えばウェットエッチングおよび／またはプラズマエッチングも使用可能である。犠牲層２５がブロック９０で除去されるので、可動反射層１４は、典型的には、この段階の後で可動である。犠牲材料２５の除去後、得られる完全にまたは部分的に製作されたＩＭＯＤは、本明細書において、「解放」ＩＭＯＤと呼ばれることがある。
【００５８】
図９は、複数のコモンライン１１２、１１４、および１１６、ならびに複数のセグメントライン１２２、１２４、および１２６を含むディスプレイ要素１０２の配列１００の一例を概略的に示す。いくつかの実施形態では、ディスプレイ要素１０２は、干渉変調器を含むことができる。複数のセグメント電極またはセグメントライン１２２、１２４、および１２６、ならびに複数のコモン電極またはコモンライン１１２、１１４、および１１６は、各ディスプレイ要素１０２がセグメント電極１２２、１２４、および１２６、ならびにコモン電極１１２、１１４、および１１６と電気通信するとき、ディスプレイ要素１０２をアドレス指定するのに使用され得る。セグメントドライバ回路１０４は、各セグメント電極１２２、１２４、および１２６に所望の電圧波形を印加するように構成され、コモンドライバ回路１０６は、各コモン電極１１２、１１４、および１１６に所望の電圧波形を印加するように構成される。いくつかの実施形態では、例えばセグメント電極１２４ａおよび１２２ａなどの電極のいくつかは、同一の電圧波形が各セグメント電極に同時に印加され得るように、互いに電気通信され得る。
【００５９】
依然として図９に関し、ディスプレイ１００がカラーディスプレイまたはモノクログレースケールディスプレイを含む実施形態では、個別の電気機械的要素１０２は、より大きな画素の副画素を含むことができ、その画素はいくつかの副画素を含む。配列が複数の干渉変調器を含むカラーディスプレイを含む実施形態では、様々な色が、所与のコモンラインに沿った実質的に全てのディスプレイ要素が同一の色を表示するように構成されたディスプレイ要素を含むように、コモンラインに沿って整列され得る。カラーディスプレイの特定の実施形態は、赤、緑、および青の副画素の交互ラインを含む。例えば、ライン１１２は、赤の干渉変調器のラインに対応することができ、ライン１１４は、緑の干渉変調器のラインに対応することができ、ライン１１６は、青の干渉変調器のラインに対応することができる。一実施形態では、干渉変調器１０２の各３×３配列は、画素１３０ａ−１３０ｄなどの画素を形成する。セグメント電極の二つが互いにショートしている例示の実施形態では、このような３×３画素は、６４の異なる色（６−ビット色深度）を表示することができるが、それは、各画素における３つの共通カラー副画素の各セットが４つの異なる状態に配置され得るからである。この配置をモノクログレースケールモードで使用するとき、各色に対する３つの画素セットの状態が同一に作られ、その場合は、各画素が４つの異なるグレーレベル強度をとることができる。これは単に一例であり、全体の画素数または解像度を犠牲にして、干渉変調器のより大きな群がより大きなカラー範囲を有する画素を形成するために使用され得ることが認められよう。
【００６０】
［マルチラインアドレッシングモード］
特定のディスプレイでは、ディスプレイ要素にデータを書き込むのに必要な時間は、ディスプレイが書き込まれ得る全体的なレートに制限される。各コモンラインが別個にアドレス指定される場合、各ラインに必要な書き込み時間は、全体的なフレーム書き込み時間を決定する。特定の実施形態では、ディスプレイの増加されたリフレッシュレートまたはフレームレートが所望であり得、また、ユーザへの良好な外観のためのディスプレイの解像度または色の範囲よりもより重要であり得る。特定の実施形態では、幅広い色の範囲とともに高解像度の画像を提示することができるドライバ回路およびディスプレイ配列が、配列のコモンラインをストローブする種々の異なる「モード」で利用され得る。これらのモードは、解像度および色の範囲の一方または両方を減少するように設計され得、代わりに、同時に配列のマルチラインをストローブすることにより、ディスプレイのポテンシャルリフレッシュレートを増大させ、および／または電力消費を低下させる。これらのモードは、以下でさらに説明され、本明細書では、ディスプレイコントローラ操作の「マルチラインアドレッシングモード」と呼ばれる。まず、これらのモードの操作が説明され、モード制御の新規な方法が続く。
【００６１】
特定の実施形態では、解像度は、同一の色のディスプレイ要素に対応するコモンラインに同一の波形を同時に印加することによって、効果的に低減され得る。例えば、書き込み波形が同時に赤のコモンライン１１２ａおよび１１２ｂに印加されて、それらのコモンラインをアドレス指定する場合、コモンライン１１２ａに沿って干渉変調器に書き込まれるデータパターンは、コモンライン１１２ｂに沿って干渉変調器に書き込まれるデータパターンと同一となる。書き込み波形が同時に緑のコモンライン１１４ａおよび１１４ｂに、次いで青のコモンライン１１６ａおよび１１６ｂに印加される場合、画素１３０ａに書き込まれるデータパターンは、画素１３０ｂに書き込まれるデータパターンと同一となり、画素１３０ａに画素１３０ｂと同一の色が表示される。用語「同時に（ｓｉｍｕｌｔａｎｅｏｕｓｌｙ）」が、簡潔さの目的で本議論を通じて使用されているが、電圧波形は完全に同時に動く必要はない。図５Ｂに関連して上述したように、書き込み波形は、ディスプレイ要素の電位差が適切なセグメント電圧が与えられたそのディスプレイ要素に書き込まれているデータを結果としてもたらすために十分である間のオーバードライブまたはアドレス電位を含むことができる。コモンラインに印加された書き込み波形のオーバードライブまたはアドレス電位と、全てのアドレス指定されたコモンライン上のディスプレイ要素の作動が生じるセグメントラインに印加されたデータ信号との間に十分なオーバーラップがある限り、書き込み波形とデータ信号とは、同時に印加されると考えられている。
【００６２】
各コモンラインが個別にアドレス指定される書き込みプロセスと比較すると、データは、低下された解像度を犠牲にして、画素１３０ａおよび１３０ｂに別個のデータを書き込むのにかかる時間のわずか半分の時間で、画素１３０ａおよび１３０ｂに書き込まれている。このライン乗算プロセス（ｌｉｎｅ  ｍｕｌｔｉｐｌｙｉｎｇ  ｐｒｏｃｅｓｓ）がディスプレイにおけるコモンラインの残り部分に適用される場合、フレーム書き込み時間は大幅に低減される。
【００６３】
図１０は、ライン乗算の使用を介して全体のフレーム書き込み時間を低減するフレーム書き込みプロセス２００を示す流れ図である。この特定のフレーム書き込みプロセスは、完全なフレーム書き込みの一部のみを表すことができ、また、完全なフレーム書き込みの初め、中間、または終わりを含む完全なフレーム書き込みの間の任意の時間に生じることができる。従って、画像データは既に、フレーム内の一つまたは複数のコモンラインに書き込まれている。ブロック２０２では、同時にアドレス指定されるコモンラインの対または群が特定される。
【００６４】
ブロック２０４では、複数のデータ信号がセグメントラインに沿って印加される。同時に、ブロック２０６では、第一の書き込み波形が、波形をアドレス指定する配列における少なくとも二つのコモンラインに、同時に印加される。このような書き込み波形は、図５Ｂに関して上述したように、例えば、アドレス指定されているコモンラインへの適切な正または負のオーバードライブまたはアドレス電位を含むことができる。保持電圧は、アドレス指定されていない多数のコモンラインに同時に印加されることができ、リセット電圧は、コモンラインをアドレス指定する前に、コモンラインに印加されることができる。書き込み波形が、アドレス指定されるコモンラインの対または群に沿って印加されるとき、セグメントラインに沿った適切に選択されたデータ信号の印加は、アドレス指定されていないコモンラインに沿ったディスプレイ要素の予想外の作動または予想外の解放をもたらさない。
【００６５】
図１０の流れ図は、ブロック２０６の前に生じるブロック２０４を示すが、所望の作動は、書き込み波形と複数のデータ信号との間に十分なオーバーラップがある限り生じ、全ての電気機械デバイスに、印加されたデータ信号に応じて作動または解放するための十分な時間を許容する。フレーム書き込み時間は故に、ブロック２０６の書き込み波形とブロック２０４のデータ信号との間のオーバーラップを最大化することによって低減され得、ブロック２０４および２０６は、信号の印加の間にオーバーラップがある限り、何れの順序でも生じ得る。
【００６６】
ブロック２０８では、コモンラインの任意の追加の対または群が同時にアドレス指定されるかどうかについての決定がなされる。そうだとしたら、プロセスはブロック２０２に戻り、同時にアドレス指定するコモンラインの適切な対または群を選択する。そうでないとしたら、プロセスは、全ての必要なコモンラインがアドレス指定されている場合のフレーム書き込みプロセスの終端を含むか、または特定のコモンラインの個別のアドレス指定を含み得るさらなるブロックに移動する。加えて、コモンラインの対または群の同時アドレス指定は、書き込まれるデータの性質に応じて、コモンラインの個別のアドレス指定に組み入れられ得る。例えば、ディスプレイに書き込まれる画像データの一部が、テキストまたは別の静止画像を含み、データの別の部分が、低い解像度で表示され得、テキストまたは静止画像のセクション間に垂直に位置しているビデオを含む場合、ビデオ上部に位置するディスプレイの一部は、それらのコモンラインを個別にアドレス指定することによって書き込まれることができ、ビデオを含むディスプレイの一部は、ライン乗算書き込みプロセスを利用することによって低解像度で書き込まれることができ、書き込みプロセスは、ビデオ下部に位置するディスプレイの一部に対するディスプレイのコモンラインの個別のアドレス指定に戻ることができる。
【００６７】
上述のライン乗算の特定の方法は、有利なことに、隣接する画素におけるコモンラインに同一の書き込み波形を印加するが、コモンラインの他の対は他の実行で同時にアドレス指定され得る。さらに、たとえライン乗算方法が、書き込み波形を隣接する画素におけるコモンラインに同時に印加するのに使用されるとしても、画素の所与の対または群における全てのラインは、画素の他の群におけるラインに書き込む前に書き込まれる必要はない。特に、特定の実施形態では、別の色のコモンラインのアドレス指定の前に、同一色のコモンラインの多数の対または群をアドレス指定することが有利であり得る。例えば、赤のコモンライン１１２ａおよび１１２ｂは、同時にアドレス指定され得、赤のコモンライン１１２ｃおよび１１２ｄを同時にアドレス指定する後続の書き込みプロセスが続く。異なる電圧波形は、異なる色のディスプレイ要素のコモンラインをアドレス指定するために使用され得るため、別の色のコモンラインのアドレス指定の前に、コモンラインの多数の対または群に対する特定の色に適している書き込み波形を利用することが有利であり得る。特定の実施形態では、所与の色のコモンラインのかなり多数の対または群が、別の色のコモンラインのアドレス指定の前に、連続してアドレス指定され得る。例えば、特定の実施形態では、所与の色のコモンラインの５つの対または群が、別の色のコモンラインがアドレス指定される前にアドレス指定され得るが、同様に、より多くのまたはより少ない数の対または群もまた使用され得る。
【００６８】
加えて、実質的に同一の波形の二つのコモンラインへの同時印加が本明細書で説明されているが、リフレッシュレートまたはフレーム書き込みのさらなる増加、あるいは電力使用の低減が、実質的に同一の波形を二つ以上のコモンラインに同時印加することによって達成され得る。
【００６９】
ディスプレイにおいてデータを更新するいくつかの方法では、特定のディスプレイ要素への電荷蓄積は、コモンラインに印加される書き込み波形の極性を変更することによって低減され得る。フレーム反転（ｆｒａｍｅ  ｉｎｖｅｒｓｉｏｎ）と呼ばれ得る一実施形態では、所与のフレームは、特定の極性の書き込み波形を用いて完全にアドレス指定され、後続のフレームは、反対の極性の書き込み波形を用いて完全にアドレス指定される。さらなる実施形態では、しかしながら、書き込み波形の極性は、単一のフレーム書き込みの間に変更され得る。ライン反転（ｌｉｎｅ  ｉｎｖｅｒｓｉｏｎ）と呼ばれ得る特定の実施形態では、書き込みの極性は、各ラインのアドレス指定の後に変更され得、特定のラインをアドレス指定するのに使用される極性は、後続のフレームで変化され得る。ディスプレイが実質的に直線的に更新されている場合、これは、反対の極性を有する書き込み電圧によってアドレス指定されている隣接ラインをもたらし得る。従って、特定の実施形態では、例えば、負の極性を有するスキップされた赤のコモンラインに書き込む前に、いくつかの数のコモンラインに対する正の極性を有する他のすべての赤のコモンラインに書き込むために、所与の極性を有する所与の書き込み波形を利用することが有利であり得る。
【００７０】
フレーム内の極性反転は、ライン乗算が同様に使用される書き込みプロセスに適用され得る。一実施形態では、赤のライン１１２ｃおよび１１２ｄは、所与のフレーム書き込み内の赤のライン１１２ａおよび１１２ｂをアドレス指定するのに使用されるのと反対の極性を用いてアドレス指定され得る。所与の極性を有する書き込み波形が多数の後続のアドレス指定操作に対して使用される上述の一つのような実施形態では、赤のライン１１２ａおよび１１２ｂは、第一極性を用いてアドレス指定され得、赤のライン１１２ｃおよび１１２ｄはスキップされ得、一方で、赤のラインのいくつかの数の追加の対または群が、第一極性を用いて書き込まれる。いくつかの数の対または群が第一極性を用いてアドレス指定された後、赤のライン１１２ｃおよび１１２ｄは、反対の極性を用いてアドレス指定され得る。
【００７１】
極性反転が利用される場合、第一極性を用いた一色の特定の数のラインのアドレス指定の後に、反対の極性を用いた同一色における特定の数のラインのアドレス指定が続く必要はない。他の実施形態では、正の赤の書き込みプロセスの後に、例えば、負の青の書き込みプロセス、または正の緑の書き込みプロセスが続くことがある。
【００７２】
別の実施形態では、カラーディスプレイは、利用可能な色の範囲を低減するモノクロモードまたは他のモードで駆動され得る。この方法でディスプレイを更新するプロセスは、ディスプレイの解像度を低下させることなくディスプレイをリフレッシュするために必要な時間を低減することができる。一実施形態では、ディスプレイは、隣接するコモンラインに書き込み波形を同時に印加することによって、モノクロ方法で駆動され得る。例えば、図９に示すようなＲＧＢディスプレイでは、画素１３０ａを介して広がる三つの隣接するコモンライン１１２ａ、１１４ａおよび１１６ａは、これらの三つのコモンラインのそれぞれに書き込み波形を印加することによって、同時にアドレス指定される。特定の実施形態では、アドレス指定されているコモンラインの色に特有の書き込み電圧が、これらの三つのコモンラインのそれぞれで使用され得、他の実施形態では、コモンライン内の様々な色のディスプレイ要素のそれぞれをアドレス指定するのに適するように選択された単一の書き込み波形が使用され得る。適切な書き込み波形が選択される場合、同一の副画素がコモンラインのそれぞれで作動され、画素１３０ａは、四つの電位遮蔽（ｐｏｔｅｎｔｉａｌ  ｓｈａｄｅ）を有するグレースケール画素として駆動され得る。
【００７３】
他の実施形態では、可能な色の範囲は、そのディスプレイをモノクロディスプレイに低減することなくポテンシャルリフレッシュレートを増加させるように低減され得る。例えば、三つの異なる色のディスプレイ要素を有するディスプレイでは、所与の画素における二つの色は同時にアドレス指定され得、一方、他の色は独立してアドレス指定され、モノクロよりロバストであるが全ての三つの色が独立してアドレス指定される場合に可能なものよりはロバストでない色の範囲を生み出す。代替実施形態では、一つまたは複数の色はアドレス指定されずに残され得る。
【００７４】
図１１は、ディスプレイの少なくとも一部へのモノクロモードの使用を介したディスプレイの全体のフレーム書き込み時間を低減するためのフレーム書き込みプロセス３００を示す流れ図である。フレーム書き込みプロセス２００に関して上述したように、このプロセスは、全体のフレーム書き込み、または、例えばフレーム書き込みの初め、中間、または終わりのみなどのフレーム書き込みの一部の間のみに使用され得る。従って、画像データは、プロセス３００の前および／または後にラインに書き込まれ得る。
【００７５】
ブロック３０２では、アドレス指定されるコモンラインの群が選択される。ＲＧＢディスプレイなどの、三つの異なる色のディスプレイ要素を有するディスプレイでは、選択された色の群は、所与の画素を介して広がる各色の隣接するコモンラインを含むことができる。ブロック３０４では、データ信号は、複数のセグメントラインに同時に印加される。ブロック３０６では、書き込み波形は、選択されたそれぞれのコモンラインに同時に印加される。上述のように、このプロセスは、異なる色のディスプレイ要素の同時アドレス指定を含むため、コモンラインの色に特有の異なる書き込み波形がアドレス指定されるそれぞれの色に対して使用され得るが、アドレス指定される全ての色に適する単一の書き込み波形もまた、代替実施形態で使用され得る。ブロック３０４と３０６との間の十分なオーバーラップを所与として、データ信号は、アドレス指定されたコモンラインへの画像データの書き込みをもたらす。
【００７６】
ブロック３０８では、次のライン書き込みを多数のコモンラインを同時にアドレス指定するモノクロライン書き込みとするかどうかについての決定がなされる。もしそうなら、そのプロセスはブロック３０２に戻り、同時にアドレス指定されるコモンラインを選択する。もしそうでないなら、そのプロセスは、単一のコモンラインのみをアドレス指定するカラーライン書き込みを含む他の段階に移動するか、または、フレーム書き込みは完了し得る。
【００７７】
さらなる実施形態では、上述のタイプのライン乗算は、表示される特定の情報に応じて、ディスプレイの特定のセクションのみで使用され得る。ディスプレイデバイスの多くの実施形態は、データの多くの部分が異なるコモンライン上で同一（またはほぼ同一）であるように、頻繁に情報を表示する。例えば、電子書籍または他のテキストディスプレイデバイス上のテキストのライン間のスペースは、白一色または別の色であり得る。多数のコモンラインに沿って画素に書き込まれるデータが多数のコモンラインに対して一定のままであるこのような実施形態では、同一のセグメントデータを共有するコラムラインが同時に書き込まれるか、またはアドレス指定され得る。書き込み波形がこれらのコモンラインのそれぞれに同時に印加されるとき、セグメントライン上のデータは、アドレス指定されているコモンラインのそれぞれに書き込まれる。フレーム書き込みを完了するのに必要な全体の時間を低減することに加えて、追加の電力がセグメント電圧スイッチを最小化することによって削減され得る。
【００７８】
上記の実施形態は３×３画素の使用について説明してきたが、任意の所望のサイズおよび形状の画素およびディスプレイ要素が本明細書に記載の方法およびデバイスと併せて使用され得ることが理解されよう。例えば、画素が三つ以上のセグメントラインを覆うか、またはセグメントラインのそれぞれが互いに独立している場合、増大された色またはグレースケールの範囲が提供され得る。
【００７９】
上記の駆動スキームおよび他の技術は、ディスプレイのリフレッシュレートの増加と併せて使用される必要はない。例えば、上記の方法の多くは、電力消費の顕著な低減をもたらすことができ、ディスプレイによって利用される電力を低減するために適用され得る。電力使用の低減は、電力使用の低減がより長い電池寿命をもたらすことができる電池式または他の携帯デバイスに特定の関心をもたらし得る。
【００８０】
時として、ビデオまたは他のアニメーションのディスプレイなどにおいて、高いリフレッシュレートまたはフレームレートは、ディスプレイの解像度よりも、より良好な外観に対してより重要であり得る。例えば、低解像度プレビュー画像が示され、次いで最大解像度画像で置き換えられ得るか、または、ズーミングアニメーションを含むＧＵＩが低解像度でズーミングアニメーションを表示し、次いでズーミングアニメーションが完了するとき高解像度に戻ることがある。いくつかの実施形態では、解像度は、多数のコモンラインに同一の電圧波形を同時に印加することによって、高いフレームレートのための犠牲となる。
【００８１】
さらなる実施形態では、ディスプレイの解像度がソースデータの解像度より大きいとき、多数のディスプレイ要素への同一のデータの同時書き込みは、結果として生じる画像にネガティブな視覚効果を有することなくフレーム書き込み時間を低減することができるが、それは、同一のデータが既に特定の隣接するディスプレイ要素に書き込まれているからである。ビデオデータは例えば、ビデオデータ自身よりも高い解像度を有するディスプレイで頻繁にみられるが、多くの他のタイプの画像ソースデータは、その画像データが書き込まれるディスプレイよりも低い解像度であり得る。多数のラインに同一のデータを書き込むためのライン乗算の使用は、有利なことに、フレーム書き込み時間を低減し、最終的なディスプレイ画像に有害な影響なく可能なリフレッシュレートを増加させる。
【００８２】
いくつかの実施形態の一態様では、これらの「マルチラインアドレッシング」モードは、ホストソフトウェアの制御下のディスプレイコントローラによって入力および終了され得る。ホストソフトウェアは、ホストソフトウェアが表示を欲するデータの性質に関する大量の情報を有する。この情報に基づき、ホストはディスプレイコントローラを、ディスプレイデータの性質に対して最適なモードにすることができる。例えば、ホストソフトウェアは、ディスプレイが各ラインを別個に更新する必要がある場合、ディスプレイのための更新レートよりも速いフレームレートを有するＨ．２６４ビデオストリームをそれが解読することを理解することができる。この場合、ホストはディスプレイコントローラを（例えば、最大ディスプレイ解像度の半分で）マルチラインアドレッシングモードにすることができ、故に、ディスプレイはフレームレートについていくことができる。このモード制御は、例えば、ホストによって書き込まれ得るディスプレイコントローラにおけるレジスタによって提供され得、記憶されたレジスタ値は、その動作モードを決定するために、コントローラによって読まれる。
【００８３】
別の例として、ホストは、表示される画像が変化しているかどうかについて決定することができる。画像が変化している（例えば、ビデオが表示されている）場合、ホストは、より高いフレームレートに対応するマルチラインアドレッシングモードを選択することができる。画像または画像の一部が変化したかどうかを決定するため、ホストは一つの画像を後続の画像と比べることができる。画像が変化したかどうかの決定は、第一画像全体（またはその一部）を第二画像全体（またはその一部）と比較することを含むことができる。いくつかの実施形態では、ホストは代わりに、画像データを作動するアルゴリズムの出力を比較することができる。例えば、ホストは、第一画像（またはその一部）に対する周期的冗長検査（ＣＲＣ）値を第二画像（またはその一部）に対するＣＲＣ値と比較することができる。
【００８４】
別の例として、ホストは、ＱＶＧＡデータ（３２０×２４０）をディスプレイに送ることができる。これは、ディスプレイの典型的な画素解像度と比較して非常に低解像度の画像データであるため、ホストは、ディスプレイコントローラを３２０×２４０解像度のマルチラインアドレッシングモード（例えば、元の解像度の四分の一）にすることができ、リフレッシュレートを増加し、および／または電力を節約する。
【００８５】
別の例は、急速なディスプレイ変化をもたらすズーミングのためのピンチなどのタッチスクリーン入力を受け取るホストプログラムである。ホストは、これらの入力を感じることができ、ディスプレイを低解像度にし、これらの更新の間にモードを素早く更新し、そして、ディスプレイデータがもはや素早く変化しないときはディスプレイコントローラを最大解像度モードに切り替える。いくつかの実施形態では、ホストは、それらに限定されないが、ポインティングデバイス（例えば、マウス、タッチパッド、ポインティングスティック、トラックボール、またはスタイラスなど）、加速度計、キーボード、ジャイロスコープ、音声コマンド、カメラ、または任意の他の触知性または非触知性のユーザ入力デバイスからの入力を含む他のユーザ入力に対応答して、マルチラインアドレッシングモードを自動で選択することができる。
【００８６】
場合によっては、これらのモードは、単一のフレームの書き込みの間に入力および終了され得る。ディスプレイコントローラにモードレジスタがある場合、これは各ラインストローブの間（または画素の各ラインの完了の間）にチェックされ得、故に多数のマルチラインアドレッシングモードは、フレームの一部に対して実施され得る。これは、画像データが同一ラインのかなりの領域を有する場合に有益であり得、そこで、これらの領域は、上述のマルチラインアドレッシングモードでアドレス指定され得るが、フレームの残りでは、一度にラインをストローブする。他の場合、コントローラは、このような変化がディスプレイの外観にひどい悪影響を及ぼすとき、モード変化が非常に素早く生じるのを防ぐように構成され得る。例えば、コントローラがモードを変化するように指示される場合、特定の数のラインまたはフレームがスイッチを作る前に電流モードを用いて書き込まれることを保証できる。
【００８７】
ホストが例えばウェブブラウザを起動し、ユーザがウェブページにアクセスする場合、新しい画像を有するフレーム更新がまれに生じるため、ホストはディスプレイコントローラを最大解像度モードにセットすることができる。ビデオを有するフラッシュ（登録商標）ウィンドウが開かれる場合、マルチラインアドレッシングモードは、ウィンドウを含むディスプレイのそれらのラインに対してセットされ得る。これらのモードはまた、ビデオウィンドウの状況に基づいて、ホストによって選択され得る。例えば、ビデオが中断または停止される場合、最大解像度モードが使用され得る。モード選択がホストによってなされる一実施形態では、ホストは、ラインダブリングモードで無視されるフレームバッファにディスプレイデータを書き込むことを抑制することができる。この方法では、データをフレームバッファに書き込む際に消費されるエネルギーが節約され得る。
【００８８】
いくつかの実施形態では、ホストおよび／またはコントローラは、いくつかのしきい値を超えて変化してきたラインのみを選択的に更新するために、どの画像のラインが変化したかについての情報を使用することができる。ビデオウィンドウディスプレイを例として用いると、ウィンドウが画像の一部分であり、画像の残りが変化しない場合、ウィンドウを含むラインのみが更新される。これは、ウィンドウを有するラインのみが更新されるように上述のマルチラインアドレッシングモードと結合されることができ、それらのラインはマルチラインアドレッシングモードで更新される。
【００８９】
図１２は、マルチラインアドレッシングモードによりディスプレイを更新するための例示プロセス４００を示す流れ図であり、そこで、マルチラインアドレッシングモードの選択は、表示されるデータに少なくとも一部基づく。ブロック４０２では、表示されるデータが得られる。ブロック４０４では、マルチラインアドレッシングモードが選択され、その選択は、表示されるデータに少なくとも一部基づく。マルチラインアドレッシングモードは、もしあれば、どのコモンラインが同時に同一データで書き込まれるかを決定する。例えば、上述のように、表示されるデータがビデオである場合、ディスプレイリフレッシュレートを増加させるマルチラインアドレッシングモードが選択され得る。例えば、いくつかの実施形態では、隣接する画素のコモンラインを同一のデータで書き込むマルチラインアドレッシングモードが選択され得、低下された解像度をもたらす。他の実施形態では、画素の同一ラインにおける異なる色の副画素に対応するコモンラインを同一データで書き込むマルチラインアドレッシングモードが選択され得、モノクロ色深度をもたらす。ブロック４０６では、ディスプレイが選択されたマルチラインアドレッシングモードに応じて更新される。
【００９０】
さらに図１２に示される例に関して、マルチラインアドレッシングモードの選択は、表示されるデータに少なくとも一部基づく。例えば、いくつかの実施形態では、マルチラインアドレッシングモードの選択は、データ自身のフォーマット（例えば、画像、ビデオ、テキスト）に基づくことができる。マルチラインアドレッシングモードの選択はまた、表示されるデータ以外の何かに基づくこともできる。例えば、マルチラインアドレッシングモードの選択はまた、例えば電池残量またはユーザ入力によってもたらされる電力効率結果に一部基づくことができる。
【００９１】
［ラインオーダーアドレッシングモード］
場合によっては、コモンラインをストローブする異なるモードは、ディスプレイの外観に影響を及ぼすが、フレーム書き込み時間または電力消費は大幅に変化させない。これらは本明細書では、「ラインオーダーアドレッシングモード」と呼ばれる。図１３は、非線形の順序で更新されているディスプレイ要素の配列の一例を概略的に示す。図示されたストローブパターンは、不可視スキャン（ｉｎｖｉｓｉｂｌｅ  ｓｃａｎ）と呼ばれることがある。このアドレッシングモードでは、ディスプレイ８３０のラインは、従来の順次的隣接ライン更新順序以外の順序で更新される。例えば、一実施形態では、ディスプレイ８３０のラインは、ランダムな順序で更新され得る。図示したように、タイムワン（Ｔｉｍｅ  ｏｎｅ）１０３５では、ライン１０３６が更新される。タイムツー（Ｔｉｍｅ  ｔｗｏ）１０５０では、ライン１０３８が更新される。ライン１０３６および１０３８は隣接していない。タイムスリー（Ｔｉｍｅ  ｔｈｒｅｅ）１０６０では、ライン１０４６が更新される。この場合もやはり、ライン１０４０はライン１０３８と隣接していない。不可視スキャンモードにおけるライン更新の順序は、生成疑似乱数に基づいてダイナミックに決定される。代わりに、ラインに対する更新順序は、ランダムに見える一つまたは複数の所定のシーケンスに応じて決定され得る。図１３における例は、直前または直後のライン更新と隣接していないライン更新を示すが、「不可視スキャン」効果を維持しつつ、いくつかのライン更新が直前または直後のライン更新と隣接していることが可能である。不可視スキャンモードは、特定の条件で視覚効果を届けるために使用され得る。例えば、不可視スキャンモードは、スライドショーにおける静止画像間のスイッチングの際に使用され得る。代わりに、不可視スキャンモードは、ホストを作動する異なるアプリケーションを表すウィンドウ間のスイッチングの際に使用され得る。前に注意したように、ホストまたはコントローラは、ディスプレイデータに関するデータにおけるフラッグ、ディスプレイデータの特性、またはホストのステータスに基づいて、不可視の更新モードを選択することができる。
【００９２】
図１４は、ラインオーダーアドレッシングモードに応じてディスプレイを更新するための例示プロセスを示す流れ図であり、そこで、ラインオーダーアドレッシングモードの選択は、表示されるデータに少なくとも一部基づく。ブロック５０２では、表示されるデータが得られる。ブロック５０４では、ラインオーダーアドレッシングモードが選択され、その選択は、表示されるデータに少なくとも一部基づく。ラインオーダーアドレッシングモードは、コモンラインが表示されるデータで書き込まれる順序を決定する。例えば、表示されるデータがスライドショーにおける画像を含む上述のように、画像間に不可視スキャンを提供するラインオーダーアドレッシングモードが選択され得る。ブロック５０６では、ディスプレイは選択されたラインオーダーアドレッシングモードに応じて更新される。
【００９３】
［カラープロセッシングモード］
ホストが制御できる他のモードは、マルチラインアドレッシングまたはラインオーダーアドレッシングを含まないことがある。これらのディスプレイデバイスの多くの実施形態では、画像データの各画素は、三色のそれぞれを規定する特定データ値として規定される。ディスプレイのカラーパレットは、入ってくるデータのカラーパレットとは異なることがある。これらの場合、また同様に他の理由のために、ディスプレイコントローラは、各画素の元のデータを処理し、元の画像データの外観を正確に再生するディスプレイ配列に適している三つの画素明度を作ることができる。画像データの性質に応じて、このカラープロセッシングは実行される必要がないことがある。ホストが元のデータフォーマットの情報を有するため、それは多数の異なる「カラープロセッシング」モードでディスプレイコントローラを配置することができる。画像データが既にディスプレイに適合するフォーマットである場合、カラープロセッシングは止めることができ、電力および計算時間を省くことができる。
【００９４】
図１５は、カラープロセッシングモードに応じてディスプレイを更新するための例示プロセスを示す流れ図であり、そこで、カラープロセッシングモードの選択は、表示されるデータに少なくとも一部基づく。ブロック６０２では、表示されるデータが得られる。ブロック６０４では、カラープロセッシングモードが選択され、その選択は、表示されるデータに少なくとも一部基づく。カラープロセッシングモードは、表示されるデータ内の色情報が表示される前に処理されるかどうかを決定する。例えば、表示されるデータ内の色情報が処理されることなく表示可能である上述のように、色情報を処理しないカラープロセッシングモードが選択され得る。ブロック６０６では、ディスプレイが選択されたカラープロセッシングモードに応じて更新される。
【００９５】
図１６Ａおよび図１６Ｂは、複数の干渉変調器を含むディスプレイデバイスを示すシステムブロック図の例を示す。ディスプレイデバイス４０は、例えば、セルラー式電話機または携帯電話機とすることができる。しかし、ディスプレイデバイス４０の同じ構成要素またはそのわずかな変形形態も、テレビ、電子書籍リーダー、タブレット、および携帯型メディアプレーヤなどの種々のタイプのディスプレイデバイスを例示するものである。
【００９６】
ディスプレイデバイス４０は、筐体４１と、ディスプレイ３０と、アンテナ４３と、スピーカ４５と、入力デバイス４８と、マイクロホン４６とを含む。筐体４１は、射出成形および真空成形を含むさまざまな製造プロセスのいずれかから形成され得る。さらに、筐体４１は、プラスチック、金属、ガラス、ゴム、およびセラミック、またはこれらの組み合わせを含むがこれらに限定されないさまざまな材料のいずれかから作製され得る。筐体４１は、異なる色をしたまたは異なるロゴ、画像、もしくは記号を含む他の着脱可能な一部分と交換され得る着脱可能な部分（図示せず）を含むことができる。
【００９７】
ディスプレイ３０は、本明細書において説明する、双安定ディスプレイまたはアナログディスプレイを含む、さまざまなディスプレイのいずれかであってよい。ディスプレイ３０はまた、プラズマ、ＥＬ、ＯＬＥＤ、ＳＴＮ  ＬＣＤ、もしくはＴＦＴ  ＬＣＤなどのフラットパネルディスプレイ、またはＣＲＴもしくは他の管デバイスなどの非フラットパネルディスプレイを含むように構成され得る。さらに、ディスプレイ３０は、本明細書において説明するように、干渉変調器ディスプレイを含むことができる。
【００９８】
ディスプレイデバイス４０の構成要素は、図１６Ｂに概略的に示されている。ディスプレイデバイス４０は、筐体４１を含み、その中に少なくとも部分的に納められた追加の構成要素を含むことができる。例えば、ディスプレイデバイス４０は、トランシーバ４７に結合されたアンテナ４３を含むネットワークインタフェース２７を含む。トランシーバ４７は、プロセッサ２１に接続され、プロセッサ２１は、調整用ハードウェア（ｃｏｎｄｉｔｉｏｎｉｎｇ  ｈａｒｄｗａｒｅ）５２に接続される。調整用ハードウェア５２は、信号を調整する（例えば、信号をフィルタリングする）ように構成され得る。調整用ハードウェア５２は、スピーカ４５およびマイクロホン４６に接続される。プロセッサ２１は、入力デバイス４８およびドライバコントローラ２９にも接続される。ドライバコントローラ２９は、フレームバッファ２８および配列ドライバ２２に結合され、配列ドライバ２２は、ディスプレイ配列３０に結合される。電源５０は、特定のディスプレイデバイス４０の設計によって必要とされるすべての構成要素に電力を供給することができる。
【００９９】
ネットワークインタフェース２７は、アンテナ４３とトランシーバ４７とを含み、その結果、ディスプレイデバイス４０は、ネットワークを介して一つまたは複数のデバイスと通信することができる。ネットワークインタフェース２７は、例えばプロセッサ２１のデータ処理要件を軽減するためにいくつかの処理能力も有することができる。アンテナ４３は、信号を送信および受信することができる。いくつかの実施形態では、アンテナ４３は、ＩＥＥＥ  １６．１１（ａ）、（ｂ）、もしくは（ｇ）を含むＩＥＥＥ  １６．１１規格またはＩＥＥＥ  ８０２．１１ａ、ｂ、ｇ、もしくはｎを含むＩＥＥＥ  ８０２．１１規格に従ってＲＦ信号を送信および受信する。いくつかの他の実施形態では、アンテナ４３は、ブルートゥース規格に従ってＲＦ信号を送信および受信する。セルラー式電話の場合、アンテナ４３は、符号分割多元接続（ＣＤＭＡ）、周波数分割多元接続（ＦＤＭＡ）、時分割多元接続（ＴＤＭＡ）、Ｇｌｏｂａｌ  Ｓｙｓｔｅｍ  ｆｏｒ  Ｍｏｂｉｌｅ  ｃｏｍｍｕｎｉｃａｔｉｏｎｓ（ＧＳＭ）、ＧＳＭ／Ｇｅｎｅｒａｌ  Ｐａｃｋｅｔ  Ｒａｄｉｏ  Ｓｅｒｖｉｃｅ（ＧＰＲＳ）、Ｅｎｈａｎｃｅｄ  Ｄａｔａ  ＧＳＭ  Ｅｎｖｉｒｏｎｍｅｎｔ（ＥＤＧＥ）、Ｔｅｒｒｅｓｔｒｉａｌ  Ｔｒｕｎｋｅｄ  Ｒａｄｉｏ（ＴＥＴＲＡ）、広帯域ＣＤＭＡ（Ｗ−ＣＤＭＡ）、Ｅｖｏｌｕｔｉｏｎ  Ｄａｔａ  Ｏｐｔｉｍｉｚｅｄ（ＥＶ−ＤＯ）、１ｘＥＶ−ＤＯ、ＥＶ−ＤＯ  Ｒｅｖ  Ａ、ＥＶ−ＤＯ  Ｒｅｖ  Ｂ、Ｈｉｇｈ  Ｓｐｅｅｄ  Ｐａｃｋｅｔ  Ａｃｃｅｓｓ（ＨＳＰＡ）、Ｈｉｇｈ  Ｓｐｅｅｄ  Ｄｏｗｎｌｉｎｋ  Ｐａｃｋｅｔ  Ａｃｃｅｓｓ（ＨＳＤＰＡ）、Ｈｉｇｈ  Ｓｐｅｅｄ  Ｕｐｌｉｎｋ  Ｐａｃｋｅｔ  Ａｃｃｅｓｓ（ＨＳＵＰＡ）、Ｅｖｏｌｖｅｄ  Ｈｉｇｈ  Ｓｐｅｅｄ  Ｐａｃｋｅｔ  Ａｃｃｅｓｓ（ＨＳＰＡ＋）、Ｌｏｎｇ  Ｔｅｒｍ  Ｅｖｏｌｕｔｉｏｎ（ＬＴＥ）、ＡＭＰＳ、または３Ｇ技術もしくは４Ｇ技術を利用するシステムなどのワイヤレスネットワーク内で通信するために使用される他の知られている信号を受信するように設計される。トランシーバ４７は、アンテナ４３から受信された信号を、これらがプロセッサ２１によって受信され、さらに操作可能であるように前処理することができる。トランシーバ４７はまた、プロセッサ２１から受信された信号を、これらがアンテナ４３を介してディスプレイデバイス４０から送信可能であるように処理することができる。
【０１００】
いくつかの実施形態では、トランシーバ４７は、受信機と交換され得る。さらに、ネットワークインタフェース２７は、プロセッサ２１に送られるべき画像データを保存または生成できる画像ソースと交換され得る。プロセッサ２１は、ディスプレイデバイス４０の全体的な動作を制御することができる。プロセッサ２１は、ネットワークインタフェース２７または画像ソースから圧縮画像データなどのデータを受信し、そのデータを処理して未加工の画像データを、または未加工の画像データに容易に処理されるフォーマットを生成する。プロセッサ２１は、この処理されたデータをドライバコントローラ２９に、または保存するためにフレームバッファ２８に送ることができる。未加工のデータとは、典型的には、画像内の各場所における画像特性を識別する情報を指す。例えば、このような画像特性は、色、彩度、およびグレースケールレベルを含むことができる。
【０１０１】
プロセッサ２１は、ディスプレイデバイス４０の動作を制御するためにマイクロコントローラ、ＣＰＵ、または論理演算装置を含むことができ、上記のディスプレイモード制御を実施するホストソフトウェアを実行することができる。調整用ハードウェア５２は、信号をスピーカ４５に送信するための、および信号をマイクロホン４６から受信するための、増幅器とフィルタとを含んでもよい。調整用ハードウェア５２は、ディスプレイデバイス４０内の個別構成要素品であっても、あるいはプロセッサ２１または他の構成要素内に組み込まれてもよい。
【０１０２】
ドライバコントローラ２９は、プロセッサ２１によって生成された未加工の画像データを、プロセッサ２１から直接またはフレームバッファ２８から取得でき、配列ドライバ２２への高速送信のために未加工の画像データを適切に再フォーマットすることができる。いくつかの実施形態では、ドライバコントローラ２９は、ディスプレイ配列３０全体にわたって走査に適した時間順序を有するように、未加工の画像データをラスターのようなフォーマットを有するデータフローに再フォーマットすることができる。次に、ドライバコントローラ２９は、フォーマットした情報を配列ドライバ２２に送る。ＬＣＤコントローラなどのドライバコントローラ２９は、独立した集積回路（ＩＣ）としてシステムプロセッサ２１を関連付けられることが多いが、このようなコントローラは多数の方法で実施され得る。例えば、コントローラは、ハードウェアとしてプロセッサ２１に埋め込まれても、ソフトウェアとしてプロセッサ２１に埋め込まれても、またはハードウェア内で配列ドライバ２２と完全に一体化されてもよい。
【０１０３】
配列ドライバ２２は、フォーマットされた情報をドライバコントローラ２９から受信でき、ディスプレイの画素のｘｙ行列から来る、数百、場合によっては数千（またはそれ以上）のリード線に毎秒多数回印加される並列な１組の波形にビデオデータを再フォーマットすることができる。
【０１０４】
いくつかの実施形態では、ドライバコントローラ２９、配列ドライバ２２、およびディスプレイ配列３０は、本明細書において説明するディスプレイのタイプのいずれかに適している。例えば、ドライバコントローラ２９は、従来のディスプレイコントローラまたは双安定ディスプレイコントローラ（例えばＩＭＯＤコントローラ）とすることができる。さらに、配列ドライバ２２は、従来のドライバまたは双安定ディスプレイドライバ（例えばＩＭＯＤディスプレイドライバ）とすることができる。さらに、ディスプレイ配列３０は、従来のディスプレイ配列または双安定ディスプレイ配列（例えば、ＩＭＯＤの配列を含むディスプレイ）とすることができる。いくつかの実施形態では、ドライバコントローラ２９は、配列ドライバ２２と一体化され得る。このような実施形態は、セルラー式電話、腕時計、および他の小面積ディスプレイなどの高集積システムでは一般的である。
【０１０５】
いくつかの実施形態では、入力デバイス４８は、例えばユーザがディスプレイデバイス４０の動作を制御できるように構成され得る。入力デバイス４８は、ＱＷＥＲＴＹキーボードまたは電話機のキーパッドなどのキーパッド、ボタン、スイッチ、ロッカー（ｒｏｃｋｅｒ）、タッチセンシティブスクリーン、または感圧膜もしくは感熱膜を含むことができる。マイクロホン４６は、ディスプレイデバイス４０のための入力デバイスとして構成され得る。いくつかの実施形態では、マイクロホン４６を介した音声コマンドは、ディスプレイデバイス４０の動作を制御するために使用され得る。
【０１０６】
電源５０は、当技術分野でよく知られているさまざまなエネルギー貯蔵デバイスを含むことができる。例えば、電源５０は、ニッケルカドミウム電池またはリチウムイオン電池などの充電式電池とすることができる。電源５０はまた、再生可能なエネルギー源、コンデンサ、またはプラスチック太陽電池もしくは太陽電池塗料を含む太陽電池を含むことができる。電源５０はまた、壁コンセント電力を受信するように構成され得る。
【０１０７】
いくつかの実施形態では、制御プログラマビリティ（ｃｏｎｔｒｏｌ  ｐｒｏｇｒａｍｍａｂｉｌｉｔｙ）は、電子ディスプレイシステム内のいくつかの場所に設置可能なドライバコントローラ２９内に備わっている。いくつかの他の実施形態では、制御プログラマビリティは配列ドライバ２２内に備わっている。上述した最適化は、任意の数のハードウェア構成要素および／またはソフトウェア構成要素において、ならびに種々の構成で実施され得る。
【０１０８】
本明細書で開示される実施形態に関連して説明した種々の例示的なロジック、論理ブロック、モジュール、回路、およびアルゴリズムのステップは、電子ハードウェア、コンピュータソフトウェア、またはこの両者の組み合わせとして実施可能である。ハードウェアおよびソフトウェアの互換性について、機能に関して概略的に説明し、上述の種々の例示的な構成要素、ブロック、モジュール、回路、およびステップとして示してきた。このような機能がハードウェアで実施されるかソフトウェアで実施されるかは、特定の適用例および全体的なシステムに課せられた設計の制約によって決まる。
【０１０９】
本明細書で開示される態様に関連して説明した種々の例示的なロジック、論理ブロック、モジュール、および回路を実施するために使用されるハードウェアおよびデータ処理装置は、本明細書において説明する機能を実行するように設計された、シングルチップまたはマルチチップの汎用プロセッサ、デジタルシグナルプロセッサ（ＤＳＰ）、特定用途向け集積回路（ＡＳＩＣ）、フィールドプログラマブルゲートアレイ（ＦＰＧＡ）もしくは他のプログラム可能な論理デバイス、ディスクリートゲートもしくはトランジスタロジック、個別のハードウェア構成要素、またはこれらの任意の組み合わせによって実施または実行され得る。汎用プロセッサは、マイクロプロセッサであってもよいし、任意の従来のプロセッサ、コントローラ、マイクロコントローラ、またはステートマシンであってもよい。プロセッサは、コンピューティングデバイスの組み合わせ、例えば、ＤＳＰとマイクロプロセッサの組み合わせ、複数のマイクロプロセッサの組み合わせ、ＤＳＰコアと連動する一つまたは複数のマイクロプロセッサの組み合わせ、または他の任意のこのような構成としても実施され得る。いくつかの実施形態では、特定のステップおよび方法は、所与の機能に固有の回路によって実行され得る。
【０１１０】
一つまたは複数の態様では、説明した機能は、本明細書に開示されている構造およびそれらの構造的な等価物を含む、ハードウェア、デジタル電子回路、コンピュータソフトウェア、ファームウェア、またはそれらの任意の組み合わせにおいて実施され得る。本明細書において説明する主題の実施形態はまた、データ処理装置によって処理されるための、またはデータ処理装置の動作を制御するために、コンピュータ記憶媒体上で符号化された一つまたは複数のコンピュータプログラムすなわちコンピュータプログラム命令の一つまたは複数のモジュールとして実施され得る。
【０１１１】
本開示において説明する実施形態の種々の変更は、当業者には容易に明らかになり得、本明細書において定義される一般的原理は、本開示の趣旨または範囲から逸脱することなく他の実施形態に適用され得る。したがって、特許請求の範囲は、本明細書において示される実施形態に限定されることを意図したものではなく、本開示には、本明細書で開示される特許請求の範囲、原理、および新規な特徴と一致する最も広い範囲が認められるべきである。「例示的（ｅｘｅｍｐｌａｒｙ）」という語は、本明細書ではもっぱら「例（ｅｘａｍｐｌｅ）、具体例（ｉｎｓｔａｎｃｅ）、または例証（ｉｌｌｕｓｔｒａｔｉｏｎ）として使用する」という意味で用いられている。本明細書で「例示的」なものとして説明する実施形態は、必ずしも他の実施形態より好ましい、または有利であると解釈すべきものであるとは限らない。さらに、「上の（ｕｐｐｅｒ）」および「下の（ｌｏｗｅｒ）」という用語が、図を説明しやすくするために使用されることがあり、適切に配向されたページ上の図の向きに対応する相対的位置を示し、実施されるＩＭＯＤの適切な向きを反映しなくてもよいことは、当業者には容易に理解されるであろう。
【０１１２】
別個の実施形態に関して本明細書において説明する特定の特徴はまた、単一の実施形態で組み合わせて実施され得る。逆に、単一の実施形態に関して説明する種々の特徴はまた、複数の実施形態でまたは任意の適切な副組み合わせ（ｓｕｂｃｏｍｂｉｎａｔｉｏｎ）で別々に実施され得る。さらに、特徴が特定の組み合わせで作用すると上述され、さらに当初はそのようなものとして請求され得るが、請求した組み合わせからの一つまたは複数の特徴は場合によってはその組み合わせから除き得ること、請求した組み合わせは副組み合わせまたは副組み合わせの変形を対象とし得る。
【０１１３】
同様に、操作が図面では特定の順序で示されているが、これは、所望の結果を達成するために、このような動作が、示された特定の順序でもしくは順次に実行されること、または示された動作のすべてが実行されることを必要とすると理解されるべきではない。さらに、図面は流れ図の形態での一つ以上の例示プロセスを概略的に示すことができる。しかしながら、示されていない他の操作が、概略的に示されている例示プロセスに組み込まれ得る。例えば、一つまたは複数の追加操作が、任意の示された操作の前、後、同時、または間に実施され得る。特定の状況では、マルチタスク方式および並列処理が有利な場合がある。さらに、上述の実施形態における種々のシステム構成要素の分離は、すべての実施形態でこのような分離を必要とすると理解されるべきではなく、説明したプログラム構成要素およびシステムは一般に単一のソフトウェア製品に合わせて統合されるかまたは複数のソフトウェア製品にパッケージ化されることが可能なことを理解されたい。さらに、他の実施形態は、以下の特許請求の範囲に含まれる。場合によっては、特許請求の範囲に記載された作用は、異なる順序で実行でき、依然として所望の結果を達成することが可能である。
【符号の説明】
【０１１４】
１２  画素、干渉変調器
１３  矢印、光
１４  可動反射層
１４ａ  反射副層、導電層
１４ｂ  誘電体支持層、副層
１４ｃ  導電層
１５  光
１６  光学スタック
１６ａ  吸収体層、光吸収体、副層
１６ｂ  副層、誘電体
１８  支持支柱、支持体
１９  キャビティ、ギャップ
２０  透明基板
２１  システムプロセッサ
２２  配列ドライバ
２３  黒色マスク構造
２４  行ドライバ回路
２５  犠牲層、犠牲材料
２６  列ドライバ回路
２７  ネットワークインタフェース
２８  フレームバッファ
２９  ドライバコントローラ
３０  ディスプレイ、ディスプレイ配列、パネル
３２  連結部
３４  変形可能層
３５  スペーサ層
４０  ディスプレイデバイス
４１  筐体
４３  アンテナ
４５  スピーカ
４６  マイクロホン
４７  トランシーバ
４８  入力デバイス
５０  電源
５２  調整用ハードウェア
６０ａ  第１のライン時間
６０ｂ  第２のライン時間
６０ｃ  第３のライン時間
６０ｄ  第４のライン時間
６０ｅ  第５のライン時間
６２  セグメント電圧
６４  セグメント電圧
７０  解放電圧
７２  高い保持電圧
７４  アドレス電圧
７６  低い保持電圧
７８  アドレス電圧
１０４  セグメントドライバ回路
１０６  コモンドライバ回路
【図１】
2013530421.tif 000003
【図２】
2013530421.tif 000004
【図３】
2013530421.tif 000005
【図４】
2013530421.tif 000006
【図５Ａ】
2013530421.tif 000007
【図５Ｂ】
2013530421.tif 000008
【図６Ａ】
2013530421.tif 000009
【図６Ｂ】
2013530421.tif 000010
【図６Ｃ】
2013530421.tif 000011
【図６Ｄ】
2013530421.tif 000012
【図６Ｅ】
2013530421.tif 000013
【図７】
2013530421.tif 000014
【図８Ａ】
2013530421.tif 000015
【図８Ｂ】
2013530421.tif 000016
【図８Ｃ】
2013530421.tif 000017
【図８Ｄ】
2013530421.tif 000018
【図８Ｅ】
2013530421.tif 000019
【図９】
2013530421.tif 000020
【図１０】
2013530421.tif 000021
【図１１】
2013530421.tif 000022
【図１２】
2013530421.tif 000023
【図１３】
2013530421.tif 000024
【図１４】
2013530421.tif 000025
【図１５】
2013530421.tif 000026
【図１６Ａ】
2013530421.tif 000027
【図１６Ｂ】
2013530421.tif 000028
【手続補正書】
【提出日】平成25年1月15日(2013.1.15)
【手続補正１】
【補正対象書類名】特許請求の範囲
【補正対象項目名】全文
【補正方法】変更
【補正の内容】
【特許請求の範囲】
【請求項１】
複数のコモンラインを含むディスプレイを駆動するためのプロセッサを含む装置であって、前記プロセッサが、
表示されるデータを得、
表示される画像のリフレッシュレートに少なくとも一部基づくシングルまたはマルチラインアドレッシングモードであって、前記表示される画像のリフレッシュレートは、ホストソフトウェアモジュールによって生じる前記表示される画像に関する情報に少なくとも一部基づき、前記マルチラインアドレッシングモードは、いくつのコモンラインが同一のデータで同時に書き込まれるかを決定する、シングルまたはマルチラインアドレッシングモードを選択し、かつ
前記シングルまたはマルチラインアドレッシングモードに応じてディスプレイを更新する
ように構成される、装置。
【請求項２】
前記ホストソフトウェアモジュールによって生じる情報は、前記ホストソフトウェアモジュールから受け取る画像フォーマット、フレームレート情報、解像度情報、およびユーザ入力情報から成る群から選択された少なくとも一つを含む、請求項１に記載の装置。
【請求項３】
前記プロセッサと通じるように構成されたメモリデバイスをさらに含む、請求項１に記載の装置。
【請求項４】
前記ディスプレイに少なくとも一つの信号を送るように構成されたドライバ回路をさらに含む、請求項１に記載の装置。
【請求項５】
前記ドライバ回路に前記画像データの少なくとも一部を送るように構成されたコントローラをさらに含む、請求項４に記載の装置。
【請求項６】
前記プロセッサに前記画像データを送るように構成された画像ソースモジュールをさらに含む、請求項１に記載の装置。
【請求項７】
前記画像ソースモジュールは、受信機、トランシーバ、および送信機の少なくとも一つを含む、請求項６に記載の装置。
【請求項８】
入力データを受け取り、かつ前記入力データを前記プロセッサに通信するように構成された入力デバイスをさらに含む、請求項１に記載の装置。
【請求項９】
前記ディスプレイはＩＭＯＤを含む、請求項１に記載の装置。
【請求項１０】
複数のコモンラインを有するディスプレイを更新する方法であって、前記方法が、
表示されるデータを得る段階と、
表示される画像のリフレッシュレートに少なくとも一部基づくシングルまたはマルチラインアドレッシングモードを選択する段階であって、前記表示される画像のリフレッシュレートは、ホストソフトウェアモジュールによって生じる前記表示される画像に関する情報に少なくとも一部基づき、前記マルチラインアドレッシングモードは、いくつのコモンラインが同一のデータで同時に書き込まれるかを決定する、段階と、
前記シングルまたはマルチラインアドレッシングモードに応じてディスプレイを更新する段階と、
を含む、方法。
【請求項１１】
前記ホストソフトウェアモジュールによって生じる情報は、前記ホストソフトウェアモジュールから受け取る画像フォーマット、フレームレート情報、解像度情報、およびユーザ入力情報から成る群から選択された少なくとも一つを含む、請求項１０に記載の方法。
【請求項１２】
前記マルチラインアドレッシングモードに応じてディスプレイを更新する段階は、異なるディスプレイ要素に対応する少なくとも二つのコモンラインに第一波形を同時に印加する段階を含む、請求項１０に記載の方法。
【請求項１３】
前記少なくとも二つのコモンラインは、同一の色のディスプレイ要素に対応する、請求項１２に記載の方法。
【請求項１４】
前記少なくとも二つのコモンラインは、異なる色のディスプレイ要素に対応する、請求項１２に記載の方法。
【請求項１５】
前記少なくとも二つのコモンラインは、正確には三つのコモンラインであり、それぞれが異なる色のディスプレイ要素に対応する、請求項１２に記載の方法。
【請求項１６】
前記少なくとも二つのコモンラインは隣接している、請求項１２に記載の方法。
【請求項１７】
前記少なくとも二つのコモンラインは隣接していない、請求項１２に記載の方法。
【請求項１８】
前記シングルまたはマルチラインアドレッシングモードに応じてディスプレイを更新する段階は、異なるディスプレイ要素に対応する少なくとも二つのコモンラインに第二波形を同時に印加する段階をさらに含み、前記第一波形は第一極性を有し、前記第二波形は第二極性を有し、前記第一および第二極性は反対である、請求項１２に記載の方法。
【請求項１９】
前記表示されるデータはビデオデータを含む、請求項１２に記載の方法。
【請求項２０】
前記ディスプレイは、各コモンラインの個別アドレス指定に対応する最大リフレッシュレートを有し、前記ビデオは前記最大リフレッシュレートよりも大きいフレームレートを有する、請求項１９に記載の方法。
【請求項２１】
前記シングルまたはマルチラインアドレッシングモードに応じてディスプレイを更新する段階は、一度に一つのみのコモンラインに波形を印加する段階を含む、請求項１０に記載の方法。
【請求項２２】
前記表示されるデータは静止画像を含む、請求項２１に記載の方法。
【請求項２３】
前記表示されるデータはテキストを含む、請求項２１に記載の方法。
【請求項２４】
前記シングルまたはマルチラインアドレッシングモードに応じてディスプレイを更新する段階は、ディスプレイの一部を更新する段階のみ含む、請求項１０に記載の方法。
【請求項２５】
前記選択されたアドレッシングモードは電力消費を低下させる、請求項１０に記載の方法。
【請求項２６】
前記選択されたアドレッシングモードは高いリフレッシュレートを提供する、請求項１０に記載の方法。
【請求項２７】
前記選択されたアドレッシングモードは高い画像解像度を提供する、請求項１０に記載の方法。
【請求項２８】
前記ディスプレイはＩＭＯＤを含む、請求項１０に記載の方法。
【請求項２９】
複数のコモンラインを含むディスプレイを駆動するためのシステムであって、前記システムが、
表示されるデータを得るための手段と、
表示される画像のリフレッシュレートに少なくとも一部基づくシングルまたはマルチラインアドレッシングモードを選択するための手段であって、前記表示される画像のリフレッシュレートは、ホストソフトウェアモジュールによって生じる前記表示される画像に関する情報に少なくとも一部基づき、前記マルチラインアドレッシングモードは、いくつのコモンラインが同一のデータで同時に書き込まれるかを決定する、手段と、
前記シングルまたはマルチラインアドレッシングモードに応じてディスプレイを更新するための手段と、
を含む、システム。
【請求項３０】
前記ホストソフトウェアモジュールによって生じる情報は、前記ホストソフトウェアモジュールから受け取る画像フォーマット、フレームレート情報、解像度情報、およびユーザ入力情報から成る群から選択された少なくとも一つを含む、請求項２９に記載のシステム。
【請求項３１】
前記表示されるデータを得るための手段が入力デバイスを含む、請求項２９に記載のシステム。
【請求項３２】
前記表示される画像のリフレッシュレートに少なくとも一部基づくシングルまたはマルチラインアドレッシングモードを選択するための手段がプロセッサを含む、請求項２９に記載のシステム。
【請求項３３】
前記シングルまたはマルチラインアドレッシングモードに応じてディスプレイを更新するための手段がコモンドライバを含む、請求項２９に記載のシステム。
【請求項３４】
前記ディスプレイはＩＭＯＤを含む、請求項２９に記載のシステム。
【請求項３５】
複数のコモンラインを含むディスプレイを駆動するように構成されたプログラムのためのデータを処理するコンピュータプログラム製品であって、前記コンピュータプログラム製品が、
表示されるデータを得、
表示される画像のリフレッシュレートに少なくとも一部基づくシングルまたはマルチラインアドレッシングモードであって、前記表示される画像のリフレッシュレートは、ホストソフトウェアモジュールによって生じる前記表示される画像に関する情報に少なくとも一部基づき、前記マルチラインアドレッシングモードは、いくつのコモンラインが同一のデータで同時に書き込まれるかを決定する、シングルまたはマルチラインアドレッシングモードを選択し、かつ
前記シングルまたはマルチラインアドレッシングモードに応じてディスプレイを更新する
ための処理回路をもたらすコードがその上に記憶された持続性コンピュータ可読媒体を含む、コンピュータプログラム製品。
【請求項３６】
前記ホストソフトウェアモジュールによって生じる情報は、前記ホストソフトウェアモジュールから受け取る画像フォーマット、フレームレート情報、解像度情報、およびユーザ入力情報から成る群から選択された少なくとも一つを含む、請求項３５に記載のコンピュータプログラム製品。
【請求項３７】
前記ディスプレイはＩＭＯＤを含む、請求項３５に記載のコンピュータプログラム製品。
【請求項３８】
複数のコモンラインを含むディスプレイを駆動するためのプロセッサを含む装置であって、前記プロセッサが、
表示されるデータを得、
前記表示されるデータに関する情報に少なくとも一部基づくラインオーダーアドレッシングモードであって、前記表示されるデータに関する情報は、ホストソフトウェアモジュールによって生じ、前記ラインオーダーアドレッシングモードは、前記コモンラインが前記データで書き込まれる順序を決定する、ラインオーダーアドレッシングモードを選択し、かつ
前記ラインオーダーアドレッシングモードに応じてディスプレイを更新する
ように構成される、装置。
【請求項３９】
前記プロセッサと通じるように構成されたメモリデバイスをさらに含む、請求項３８に記載の装置。
【請求項４０】
前記ディスプレイに少なくとも一つの信号を送るように構成されたドライバ回路をさらに含む、請求項３８に記載の装置。
【請求項４１】
前記ドライバ回路に前記画像データの少なくとも一部を送るように構成されたコントローラをさらに含む、請求項４０に記載の装置。
【請求項４２】
前記プロセッサに前記画像データを送るように構成された画像ソースモジュールをさらに含む、請求項３８に記載の装置。
【請求項４３】
前記画像ソースモジュールは、受信機、トランシーバ、および送信機の少なくとも一つを含む、請求項４２に記載の装置。
【請求項４４】
入力データを受け取り、かつ前記入力データを前記プロセッサに通信するように構成された入力デバイスをさらに含む、請求項３８に記載の装置。
【請求項４５】
前記ディスプレイはＩＭＯＤを含む、請求項３８に記載の装置。
【請求項４６】
複数のコモンラインを有するディスプレイを更新する方法であって、前記方法が、
表示されるデータを得る段階と、
ホストソフトウェアモジュールによって生じる前記表示されるデータに関する情報に少なくとも一部基づくラインオーダーアドレッシングモードを選択する段階であって、前記ラインオーダーアドレッシングモードは、前記コモンラインが前記データで書き込まれる順序を決定する、段階と、
前記ラインオーダーアドレッシングモードに応じてディスプレイを更新する段階と、
を含む、方法。
【請求項４７】
前記コモンラインが前記データで書き込まれる順序がランダムである、請求項４６に記載の方法。
【請求項４８】
前記コモンラインが前記データで書き込まれる順序が、生成疑似乱数に基づいてダイナミックに決定される、請求項４６に記載の方法。
【請求項４９】
前記コモンラインが前記データで書き込まれる順序が、ランダムに見える一つまたは複数のシーケンスに応じて決定される、請求項４６に記載の方法。
【請求項５０】
前記表示されるデータはスライドショーを含む、請求項４６に記載の方法。
【請求項５１】
前記ディスプレイはＩＭＯＤを含む、請求項４６に記載の方法。
【請求項５２】
複数のコモンラインを含むディスプレイを駆動するためのシステムであって、前記システムが、
表示されるデータを得るための手段と、
ホストソフトウェアモジュールによって生じる前記表示されるデータに関する情報に少なくとも一部基づくラインオーダーアドレッシングモードを選択するための手段であって、前記ラインオーダーアドレッシングモードは、前記コモンラインが前記データで書き込まれる順序を決定する、手段と、
前記ラインオーダーアドレッシングモードに応じてディスプレイを更新するための手段と、
を含む、システム。
【請求項５３】
前記表示されるデータを得るための手段が入力デバイスを含む、請求項５２に記載のシステム。
【請求項５４】
前記表示されるデータに少なくとも一部基づくラインオーダーアドレッシングモードを選択するための手段がプロセッサを含む、請求項５２に記載のシステム。
【請求項５５】
前記ラインオーダーアドレッシングモードに応じてディスプレイを更新するための手段がコモンドライバを含む、請求項５２に記載のシステム。
【請求項５６】
前記ディスプレイはＩＭＯＤを含む、請求項５２に記載のシステム。
【請求項５７】
複数のコモンラインを含むディスプレイを駆動するように構成されたプログラムのためのデータを処理するコンピュータプログラム製品であって、前記コンピュータプログラム製品が、
表示されるデータを得、
ホストソフトウェアモジュールによって生じる前記表示されるデータに関する情報に少なくとも一部基づくラインオーダーアドレッシングモードであって、前記ラインオーダーアドレッシングモードは、前記コモンラインが前記データで書き込まれる順序を決定する、ラインオーダーアドレッシングモードを選択し、かつ
前記ラインオーダーアドレッシングモードに応じてディスプレイを更新する
ための処理回路をもたらすコードがその上に記憶された持続性コンピュータ可読媒体を含む、コンピュータプログラム製品。
【請求項５８】
前記ディスプレイはＩＭＯＤを含む、請求項５７に記載のコンピュータプログラム製品。
【請求項５９】
ディスプレイを駆動するためのプロセッサを含む装置であって、前記プロセッサが、
表示されるデータを得、
ホストソフトウェアモジュールによって生じる前記表示されるデータのカラーパレットに少なくとも一部基づくカラープロセッシングモードであって、前記カラープロセッシングモードは、前記表示されるデータ内の色情報が表示される前に処理されるかどうかを決定する、カラープロセッシングモードを選択し、かつ
前記カラープロセッシングモードに応じてディスプレイを更新する
ように構成される、装置。
【請求項６０】
前記プロセッサと通じるように構成されたメモリデバイスをさらに含む、請求項５９に記載の装置。
【請求項６１】
前記ディスプレイに少なくとも一つの信号を送るように構成されたドライバ回路をさらに含む、請求項５９に記載の装置。
【請求項６２】
前記ドライバ回路に前記画像データの少なくとも一部を送るように構成されたコントローラをさらに含む、請求項６１に記載の装置。
【請求項６３】
前記プロセッサに前記画像データを送るように構成された画像ソースモジュールをさらに含む、請求項５９に記載の装置。
【請求項６４】
前記画像ソースモジュールは、受信機、トランシーバ、および送信機の少なくとも一つを含む、請求項６３に記載の装置。
【請求項６５】
入力データを受け取り、かつ前記入力データを前記プロセッサに通信するように構成された入力デバイスをさらに含む、請求項５９に記載の装置。
【請求項６６】
前記ディスプレイはＩＭＯＤを含む、請求項５９に記載の装置。
【請求項６７】
ディスプレイを更新する方法であって、前記方法が、
表示されるデータを得る段階と、
ホストソフトウェアモジュールによって生じる前記表示されるデータに少なくとも一部基づくカラープロセッシングモードを選択する段階であって、前記カラープロセッシングモードは、前記表示されるデータ内の色情報が表示される前に処理されるかどうかを決定する、段階と、
前記カラープロセッシングモードに応じてディスプレイを更新する段階と、
を含む、方法。
【請求項６８】
カラープロセッシングモードを選択する段階および前記カラープロセッシングモードに応じてディスプレイを更新する段階は、色情報が処理を必要としないことを決定する段階、および前記色情報を処理することなくディスプレイを更新する段階を含む、請求項６７に記載の方法。
【請求項６９】
前記色情報が処理を必要としないことを決定する段階は、前記得られたデータが前記ディスプレイに適合するフォーマットであることを決定する段階を含む、請求項６８に記載の方法。
【請求項７０】
前記ディスプレイはＩＭＯＤを含む、請求項６７に記載の方法。
【請求項７１】
ディスプレイを駆動するためのシステムであって、前記システムが、
表示されるデータを得るための手段と、
ホストソフトウェアモジュールによって生じる前記表示されるデータに少なくとも一部基づくカラープロセッシングモードを選択するための手段であって、前記カラープロセッシングモードは、前記表示されるデータ内の色情報が表示される前に処理されるかどうかを決定する、手段と、
前記カラープロセッシングモードに応じてディスプレイを更新するための手段と、
を含む、システム。
【請求項７２】
前記表示されるデータを得るための手段が入力デバイスを含む、請求項７１に記載のシステム。
【請求項７３】
前記表示されるデータに少なくとも一部基づくカラープロセッシングモードを選択するための手段がプロセッサを含む、請求項７１に記載のシステム。
【請求項７４】
前記カラープロセッシングモードに応じてディスプレイを更新するための手段がコモンドライバを含む、請求項７１に記載のシステム。
【請求項７５】
前記ディスプレイはＩＭＯＤを含む、請求項７１に記載のシステム。
【請求項７６】
ディスプレイを駆動するように構成されたプログラムのためのデータを処理するコンピュータプログラム製品であって、前記コンピュータプログラム製品が、
表示されるデータを得、
ホストソフトウェアモジュールから受け取る前記表示されるデータに少なくとも一部基づくカラープロセッシングモードであって、前記カラープロセッシングモードは、前記表示されるデータ内の色情報が表示される前に処理されるかどうかを決定する、カラープロセッシングモードを選択し、かつ
前記カラープロセッシングモードに応じてディスプレイを更新する
ための処理回路をもたらすコードがその上に記憶された持続性コンピュータ可読媒体を含む、コンピュータプログラム製品。
【請求項７７】
前記ディスプレイはＩＭＯＤを含む、請求項７６に記載のコンピュータプログラム製品。
【国際調査報告】
2013530421.tif 000029
2013530421.tif 000030
2013530421.tif 000031